(57)【要約】  この出願の実施形態は、送信方向構成方法、デバイス及びシステムを提供し、通信技術の分野に関し、それにより、アップリンク及び/又はダウンリンク送信方向が柔軟に構成できる。具体的な解決策は以下の通りである。第1のデバイスは、第1の指示情報を第2のデバイスに送信し、第1の指示情報は、アップリンク及び/又はダウンリンク送信方向の構成を示すために使用され、構成は、1つの周期に含まれるリソースエレメントのタイプ、数及び分布を記述するために使用され、リソースエレメントは、リソース粒度に基づく分割を通じて取得されたリソースであり、リソース粒度は、時間領域粒度を含み、時間領域粒度は、1つのOFDMシンボルよりも小さいリソース単位、OFDMシンボル、ミニスロット、スロット、ミニサブフレーム、サブフレーム、無線フレーム又はスーパーフレームを含み、リソースエレメントのタイプは、アップリンクリソースエレメント、ダウンリンクリソースエレメント、及びダウンリンクリソースエレメントとアップリンクリソースエレメントとの間の切り替えリソースエレメントを含み、第1のデバイスは、第1の指示情報により示されるアップリンク及び/又はダウンリンク送信方向の構成に基づいて情報送信を実行する。この出願の実施形態は、送信方向を構成するために使用される。
2020515147.tif 000002
【特許請求の範囲】
【請求項１】
送信方向構成方法であって、
第1のデバイスにより、第1の指示情報を第2のデバイスに送信するステップであり、前記第1の指示情報は、アップリンク及び/又はダウンリンク送信方向の構成を示すために使用され、前記構成は、1つの周期に含まれるリソースエレメントのタイプ、数及び分布を記述するために使用され、前記リソースエレメントは、リソース粒度に基づく分割を通じて取得されたリソースであり、前記リソース粒度は、時間領域粒度を含み、前記時間領域粒度は、1つの直交周波数分割多重OFDMシンボルよりも小さいリソース単位、OFDMシンボル、ミニスロット、スロット、ミニサブフレーム、サブフレーム、無線フレーム又はスーパーフレームを含み、前記リソースエレメントの前記タイプは、アップリンクリソースエレメント、ダウンリンクリソースエレメント、及び前記ダウンリンクリソースエレメントと前記アップリンクリソースエレメントとの間の切り替えリソースエレメントを含み、前記アップリンクリソースエレメントの送信方向はアップリンク方向であり、前記ダウンリンクリソースエレメントの送信方向はダウンリンク方向である、ステップと、
前記第1のデバイスにより、前記第1の指示情報により示される前記アップリンク及び/又はダウンリンク送信方向の前記構成に基づいて情報送信を実行するステップと
を含む方法。
【請求項２】
前記時間領域粒度がサブフレームであるとき、前記アップリンクリソースエレメントは、第1のアップリンクサブフレーム及び第2のアップリンクサブフレームのうち少なくとも1つを含み、前記ダウンリンクリソースエレメントは、第1のダウンリンクサブフレーム及び第2のダウンリンクサブフレームのうち少なくとも1つを含み、
前記第1のアップリンクサブフレームは通常のアップリンクサブフレームであり、前記第1のダウンリンクサブフレームは通常のダウンリンクサブフレームであり、前記第2のアップリンクサブフレームは、ダウンリンク制御チャネル、アップリンクデータチャネル及びアップリンク制御チャネル上の送信を含み、前記第2のダウンリンクサブフレームは、ダウンリンク制御チャネル、ダウンリンクデータチャネル及びアップリンク制御チャネル上の送信を含む、請求項１に記載の方法。
【請求項３】
前記時間領域粒度がスロットであるとき、前記アップリンクリソースエレメントは、第1のアップリンクスロット及び第2のアップリンクスロットのうち少なくとも1つを含み、前記ダウンリンクリソースエレメントは、第1のダウンリンクスロット及び第2のダウンリンクスロットのうち少なくとも1つを含み、
前記第1のアップリンクスロットは通常のアップリンクスロットであり、前記第1のダウンリンクスロットは通常のダウンリンクスロットであり、前記第2のアップリンクスロットは、ダウンリンク制御チャネル、アップリンクデータチャネル及びアップリンク制御チャネル上の送信を含み、前記第2のダウンリンクスロットは、ダウンリンク制御チャネル、ダウンリンクデータチャネル及びアップリンク制御チャネル上の送信を含む、請求項１に記載の方法。
【請求項４】
前記リソース粒度は、周波数領域粒度を更に含み、前記周波数領域粒度は、物理リソースブロックPRB、制御チャネルエレメントCCE、サブバンド又は周波数帯域を含む、請求項１乃至３のうちいずれか１項に記載の方法。
【請求項５】
前記構成が、1つの周期に含まれるリソースエレメントのタイプ、数及び分布を記述するために使用されることは、
前記構成が、現在の周期又は現在の周期の後の第kの周期に含まれるリソースエレメントのタイプ、数及び分布を記述するために使用され、kは正の整数であることを含む、請求項１乃至４のうちいずれか１項に記載の方法。
【請求項６】
当該方法は、
前記第1のデバイスにより、高レイヤシグナリング、媒体アクセス制御MACレイヤシグナリング又は物理レイヤシグナリングのうち少なくとも1つを使用することにより、前記周期を前記第2のデバイスに送信するステップを更に含む、請求項１乃至５のうちいずれか１項に記載の方法。
【請求項７】
前記第1のデバイスにより、高レイヤシグナリングを使用することにより、前記周期を前記第2のデバイスに送信することは、
前記第1のデバイスにより、システム情報を使用することにより、前記周期を前記第2のデバイスに送信することを含む、請求項６に記載の方法。
【請求項８】
前記第1の指示情報は、識別情報を含み、前記識別情報は、前記アップリンク及び/又はダウンリンク送信方向の前記構成を示すために使用され、第1のデバイスにより、第1の指示情報を第2のデバイスに送信する前に、当該方法は、
前記第1のデバイスにより、初期構成情報を前記第2のデバイスに送信するか、或いは、運用、管理及び保守OAMセンタを使用することにより、初期構成情報を事前に構成するステップであり、前記初期構成情報は、前記識別情報と前記アップリンク及び/又はダウンリンク送信方向の前記構成との間の対応関係を含む、ステップを更に含む、請求項１乃至７のうちいずれか１項に記載の方法。
【請求項９】
第1のデバイスにより、第1の指示情報を第2のデバイスに送信することは、
前記第1のデバイスにより、高レイヤシグナリング、媒体アクセス制御MACレイヤシグナリング又は物理レイヤシグナリングのうち少なくとも1つを使用することにより、前記第1の指示情報を前記第2のデバイスに送信することを含む、請求項１乃至８のうちいずれか１項に記載の方法。
【請求項１０】
前記第1のデバイスは、第1のパラメータで構成され、前記第1のパラメータが第1の予め設定された値であるとき、第1のデバイスにより、第1の指示情報を第2のデバイスに送信することは、
前記第1のデバイスにより、前記高レイヤシグナリングを使用することにより、前記第1の指示情報を前記第2のデバイスに送信することを含むか、或いは
前記第1のパラメータが第2の予め設定された値であるとき、第1のデバイスにより、第1の指示情報を第2のデバイスに送信することは、
前記第1のデバイスにより、前記MACレイヤシグナリング又は前記物理レイヤシグナリングのうち前記少なくとも1つを使用することにより、前記第1の指示情報を前記第2のデバイスに送信することを含む、請求項９に記載の方法。
【請求項１１】
当該方法は、
前記第1のデバイスにより、高レイヤシグナリング、媒体アクセス制御MACレイヤシグナリング又は物理レイヤシグナリングのうち少なくとも1つを使用することにより、前記第1のパラメータを前記第2のデバイスに送信するステップを更に含む、請求項１０に記載の方法。
【請求項１２】
前記第1のデバイスにより、高レイヤシグナリング、媒体アクセス制御MACレイヤシグナリング又は物理レイヤシグナリングのうち少なくとも1つを使用することにより、前記第1のパラメータを前記第2のデバイスに送信することは、
前記第1のデバイスにより、システム情報を使用することにより、前記第1のパラメータを前記第2のデバイスに送信することを含む、請求項１１に記載の方法。
【請求項１３】
前記第1の指示情報は、第2のパラメータを搬送し、前記第2のパラメータは、持続時間を示すために使用され、前記構成が、1つの周期に含まれるリソースエレメントのタイプ、数及び分布を記述するために使用されることは、
前記構成が、前記第2のパラメータにより示される前記持続時間内の各周期に含まれるリソースエレメントのタイプ、数及び分布を記述するために使用されることを含む、請求項１乃至１２のうちいずれか１項に記載の方法。
【請求項１４】
前記第1の指示情報は、第3のパラメータを搬送し、前記第3のパラメータは、時点を示すために使用され、前記構成が、1つの周期に含まれるリソースエレメントのタイプ、数及び分布を記述するために使用されることは、
前記構成が、前記第3のパラメータにより示される前記時点の後の時間領域における各周期に含まれるリソースエレメントのタイプ、数及び分布を記述するために使用されることを含む、請求項１乃至１２のうちいずれか１項に記載の方法。
【請求項１５】
前記第1の指示情報は、第2のパラメータ及び第3のパラメータを搬送し、前記第2のパラメータは、持続時間を示すために使用され、前記第3のパラメータは、時点を示すために使用され、前記構成が、1つの周期に含まれるリソースエレメントのタイプ、数及び分布を記述するために使用されることは、
前記構成が、前記第2のパラメータにより示され且つ前記第3のパラメータにより示される前記時点から始まる前記持続時間内の各周期に含まれるリソースエレメントのタイプ、数及び分布を記述するために使用されることを含む、請求項１乃至１２のうちいずれか１項に記載の方法。
【請求項１６】
前記第1のデバイスは、第2のパラメータで更に構成され、前記第2のパラメータは、持続時間を示すために使用され、当該方法は、
前記第1のデバイスにより、高レイヤシグナリング、媒体アクセス制御MACレイヤシグナリング又は物理レイヤシグナリングのうち少なくとも1つを使用することにより、第2の指示情報を前記第2のデバイスに送信するステップであり、前記第2の指示情報は、前記第2のパラメータを搬送し、前記第2の指示情報は、前記第2のパラメータにより示される前記持続時間内の各周期内のアップリンク及び/又はダウンリンク送信方向の構成が、前記第1の指示情報により示される前記構成であることを示すために使用される、ステップを更に含む、請求項１乃至１２のうちいずれか１項に記載の方法。
【請求項１７】
前記第1のデバイスは、第3のパラメータで更に構成され、前記第3のパラメータは、時点を示すために使用され、当該方法は、
前記第1のデバイスにより、高レイヤシグナリング、媒体アクセス制御MACレイヤシグナリング又は物理レイヤシグナリングのうち少なくとも1つを使用することにより、第3の指示情報を前記第2のデバイスに送信するステップであり、前記第2の指示情報は、前記第3のパラメータを搬送し、前記第3の指示情報は、前記第3のパラメータにより示される前記時点の後の時間領域における各周期内のアップリンク及び/又はダウンリンク送信方向の構成が、前記第1の指示情報により示される前記構成であることを示すために使用される、ステップを更に含む、請求項１乃至１２のうちいずれか１項に記載の方法。
【請求項１８】
前記第1のデバイスは、第2のパラメータ及び第3のパラメータで更に構成され、前記第2のパラメータは、持続時間を示すために使用され、前記第3のパラメータは、時点を示すために使用され、当該方法は、
前記第1のデバイスにより、高レイヤシグナリング、媒体アクセス制御MACレイヤシグナリング又は物理レイヤシグナリングのうち少なくとも1つを使用することにより、第4の指示情報を前記第2のデバイスに送信するステップであり、前記第4の指示情報は、前記第2のパラメータ及び前記第3のパラメータを搬送し、前記第4の指示情報は、前記第2のパラメータにより示され且つ前記第3のパラメータにより示される前記時点から始まる前記持続時間内の各周期内のアップリンク及び/又はダウンリンク送信方向の構成が、前記第1の指示情報により示される前記構成であることを示すために使用される、ステップを更に含む、請求項１乃至１２のうちいずれか１項に記載の方法。
【請求項１９】
前記第1のデバイスにより、物理レイヤシグナリングを使用することにより、前記第1の指示情報を前記第2のデバイスに送信することは、
前記第1のデバイスにより、保持された物理ハイブリッド自動再送要求インジケータチャネルPHICHリソースを使用することにより、前記第1の指示情報を前記第2のデバイスに送信すること、又は
前記第1のデバイスにより、物理ダウンリンク制御チャネルPDCCHリソース内の保持されたCCEリソースを使用することにより、前記第1の指示情報を前記第2のデバイスに送信すること、又は
前記第1のデバイスにより、グループPDCCH、共通PDCCH又はグループ共通PDCCHのうち少なくとも1つを使用することにより、前記第1の指示情報を送信すること
を含む、請求項９乃至１８のうちいずれか１項に記載の方法。
【請求項２０】
前記第1のデバイスは、第1のリソースセット及び第2のリソースセットで構成され、前記第1のリソースセット内のリソースエレメントの送信方向は固定され、前記第2のリソースセット内のリソースエレメントの送信方向は可変である、請求項１乃至１９のうちいずれか１項に記載の方法。
【請求項２１】
当該方法は、
前記第1のデバイスにより、第1の通知メッセージを前記第2のデバイスに送信するステップであり、前記第1の通知メッセージは、前記第2のリソースセット内のいくつか又は全てのリソースが前記第1のリソースセットに変換されることを通知するために使用される、ステップ、及び/又は
前記第1のデバイスにより、第2の通知メッセージを前記第2のデバイスに送信するステップであり、前記第2の通知メッセージは、前記第1のリソースセット内のいくつか又は全てのリソースが前記第2のリソースセットに変換されることを通知するために使用される、ステップ
を更に含む、請求項２０に記載の方法。
【請求項２２】
前記第1のデバイスにより、第1の通知メッセージ及び/又は第2の通知メッセージを前記第2のデバイスに送信することは、
前記第1のデバイスにより、高レイヤシグナリング、MACレイヤシグナリング又は物理レイヤシグナリングのうち少なくとも1つを使用することにより、前記第1の通知メッセージ及び/又は前記第2の通知メッセージを前記第2のデバイスに送信することを含む、請求項２１に記載の方法。
【請求項２３】
前記第1のデバイスにより、初期構成情報を前記第2のデバイスに送信することは、
前記第1のデバイスにより、前記第1のリソースセット内のリソースエレメントを使用することにより、前記初期構成情報を前記第2のデバイスに送信することを含む、請求項２０乃至２２のうちいずれか１項に記載の方法。
【請求項２４】
第1のデバイスにより、第1の指示情報を第2のデバイスに送信することは、
前記第1のデバイスにより、前記第1のリソースセット及び前記第2のリソースセットのうち少なくとも1つの中のリソースエレメントを使用することにより、前記第1の指示情報を前記第2のデバイスに送信することを含む、請求項２０乃至２３のうちいずれか１項に記載の方法。
【請求項２５】
送信方向構成方法であって、
第2のデバイスにより、第1のデバイスにより送信された第1の指示情報を受信するステップであり、前記第1の指示情報は、アップリンク及び/又はダウンリンク送信方向の構成を示すために使用され、前記構成は、1つの周期に含まれるリソースエレメントのタイプ、数及び分布を記述するために使用され、前記リソースエレメントは、リソース粒度に基づく分割を通じて取得されたリソースであり、前記リソース粒度は、時間領域粒度を含み、前記時間領域粒度は、1つの直交周波数分割多重OFDMシンボルよりも小さいリソース単位、OFDMシンボル、ミニスロット、スロット、ミニサブフレーム、サブフレーム、無線フレーム又はスーパーフレームを含み、前記リソースエレメントの前記タイプは、アップリンクリソースエレメント、ダウンリンクリソースエレメント、及び前記ダウンリンクリソースエレメントと前記アップリンクリソースエレメントとの間の切り替えリソースエレメントを含み、前記アップリンクリソースエレメントの送信方向はアップリンク方向であり、前記ダウンリンクリソースエレメントの送信方向はダウンリンク方向である、ステップと、
前記第2のデバイスにより、前記第1の指示情報により示される前記アップリンク及び/又はダウンリンク送信方向の前記構成に基づいて情報送信又は構成動作を実行するステップと
を含む方法。
【請求項２６】
第1のデバイスであって、
第1の指示情報を第2のデバイスに送信するように構成された送信ユニットであり、前記第1の指示情報は、アップリンク及び/又はダウンリンク送信方向の構成を示すために使用され、前記構成は、1つの周期に含まれるリソースエレメントのタイプ、数及び分布を記述するために使用され、前記リソースエレメントは、リソース粒度に基づく分割を通じて取得されたリソースであり、前記リソース粒度は、時間領域粒度を含み、前記時間領域粒度は、1つの直交周波数分割多重OFDMシンボルよりも小さいリソース単位、OFDMシンボル、ミニスロット、スロット、ミニサブフレーム、サブフレーム、無線フレーム又はスーパーフレームを含み、前記リソースエレメントの前記タイプは、アップリンクリソースエレメント、ダウンリンクリソースエレメント、及び前記ダウンリンクリソースエレメントと前記アップリンクリソースエレメントとの間の切り替えリソースエレメントを含み、前記アップリンクリソースエレメントの送信方向はアップリンク方向であり、前記ダウンリンクリソースエレメントの送信方向はダウンリンク方向である、送信ユニットと、
前記第1の指示情報により示される前記アップリンク及び/又はダウンリンク送信方向の前記構成に基づいて情報送信を実行するように構成された処理ユニットと
を含む第1のデバイス。
【請求項２７】
第2のデバイスであって、
第1のデバイスにより送信された第1の指示情報を受信するように構成された受信ユニットであり、前記第1の指示情報は、アップリンク及び/又はダウンリンク送信方向の構成を示すために使用され、前記構成は、1つの周期に含まれるリソースエレメントのタイプ、数及び分布を記述するために使用され、前記リソースエレメントは、リソース粒度に基づく分割を通じて取得されたリソースであり、前記リソース粒度は、時間領域粒度を含み、前記時間領域粒度は、1つの直交周波数分割多重OFDMシンボルよりも小さいリソース単位、OFDMシンボル、ミニスロット、スロット、ミニサブフレーム、サブフレーム、無線フレーム又はスーパーフレームを含み、前記リソースエレメントの前記タイプは、アップリンクリソースエレメント、ダウンリンクリソースエレメント、及び前記ダウンリンクリソースエレメントと前記アップリンクリソースエレメントとの間の切り替えリソースエレメントを含み、前記アップリンクリソースエレメントの送信方向はアップリンク方向であり、前記ダウンリンクリソースエレメントの送信方向はダウンリンク方向である、受信ユニットと、
前記第1の指示情報により示される前記アップリンク及び/又はダウンリンク送信方向の前記構成に基づいて情報送信又は構成動作を実行するように構成された処理ユニットと
を含む第2のデバイス。
【請求項２８】
少なくとも1つのプロセッサと、メモリと、バスと、通信インタフェースとを含む第1のデバイスであって、
前記メモリは、コンピュータ実行可能命令を記憶するように構成され、前記少なくとも1つのプロセッサは、前記バスを使用することにより前記メモリに接続され、前記第1のデバイスが動作するとき、前記少なくとも1つのプロセッサは、前記第1のデバイスが請求項１乃至２４のうちいずれか１項に記載の構成方法を実行することを可能にするように、前記メモリに記憶された前記コンピュータ実行可能命令を実行する、第1のデバイス。
【請求項２９】
少なくとも1つのプロセッサと、メモリと、バスと、通信インタフェースとを含む第2のデバイスであって、
前記メモリは、コンピュータ実行可能命令を記憶するように構成され、前記少なくとも1つのプロセッサは、前記バスを使用することにより前記メモリに接続され、前記第2のデバイスが動作するとき、前記少なくとも1つのプロセッサは、前記第2のデバイスが請求項２５に記載の構成方法を実行することを可能にするように、前記メモリに記憶された前記コンピュータ実行可能命令を実行する、第2のデバイス。
【請求項３０】
請求項２６又は２８に記載の第1のデバイスと、請求項２７又は２９に記載の第2のデバイスとを含むシステム。
【発明の詳細な説明】
【技術分野】
【０００１】
［関連出願への相互参照］
この出願は、2017年3月16日に中国国家知識産権局に出願された「NETWORK  RESOURCE  CONFIGURATION  METHOD  AND  DEVICE」という名称の中国特許出願第201710158113.8号に対する優先権を主張し、その全内容を参照により援用する。
【０００２】
［技術分野］
この出願の実施形態は、通信技術の分野に関し、特に、送信方向構成方法、デバイス及びシステムに関する。
【背景技術】
【０００３】
時分割複信(Time  Division  Duplexing,  TDD)は、移動通信システムで使用される時分割多重通信技術である。図１に示す7つの構成モードは、第3世代パートナーシッププロジェクト(3rd  Generation  Partnership  Project,  3GPP)TS36.211で指定されている。各構成モードは、1つの周期に含まれる10個のサブフレームのそれぞれの送信方向がアップリンク方向であるかダウンリンク方向であるかと、サブフレームがスペシャルサブフレームであるか否かとを示すために使用される。
【０００４】
現在の移動通信ネットワークでは、セルをサービス提供する基地局は、長時間に収集されたサービス要件のような要因に基づいて7つの構成モードから1つを選択し、静的或いは半静的な構成方式で、選択された構成モードを端末又は他の基地局に通知し、それにより、端末は、構成モードで指定されたアップリンク及び/又はダウンリンク送信方向に基づいて情報を基地局に送信でき、他の基地局は、構成モードに基づいて干渉処理、スケジューリング制御又は他の構成動作を実行できる。
【０００５】
移動通信技術が進化するに伴い、セル半径はますます小さくなり、各基地局に接続される端末の数量はますます少なくなり、セルサービスはますます変動する。したがって、より動的なサービス変化に適応するために、リソース送信方向は、情報送信のためにより柔軟に構成される必要がある。しかし、従来技術では、リソース送信方向は、通常では、上記のいくつかの構成モードから1つを選択することによりのみ構成される。したがって、動的に変化するサービス要件が満されることはできない。
【発明の概要】
【０００６】
この出願の実施形態は、アップリンク及び/又はダウンリンク送信方向を柔軟に構成するための送信方向構成方法、デバイス及びシステムを提供する。
【０００７】
上記の目的を達成するために、この出願の実施形態において以下の技術的解決策が使用される。
【０００８】
第1の態様によれば、この出願の実施形態は、送信方向構成方法を提供する。当該方法は、第1のデバイスにより、第1の指示情報を第2のデバイスに送信するステップであり、第1の指示情報は、アップリンク及び/又はダウンリンク送信方向の構成を示すために使用され、構成は、1つの周期に含まれるリソースエレメントのタイプ、数及び分布を記述するために使用され、リソースエレメントは、リソース粒度に基づく分割を通じて取得されたリソースであり、リソース粒度は、時間領域粒度を含み、時間領域粒度は、1つの直交周波数分割多重(Orthogonal  Frequency  Division  Multiplexing,  OFDM)シンボルよりも小さいリソース単位、OFDMシンボル、ミニスロット、スロット、ミニサブフレーム、サブフレーム、無線フレーム又はスーパーフレームを含み、リソースエレメントのタイプは、アップリンクリソースエレメント、ダウンリンクリソースエレメント、及びダウンリンクリソースエレメントとアップリンクリソースエレメントとの間の切り替えリソースエレメントを含み、アップリンクリソースエレメントの送信方向はアップリンク方向であり、ダウンリンクリソースエレメントの送信方向はダウンリンク方向である、ステップと、第1のデバイスにより、第1の指示情報により示されるアップリンク及び/又はダウンリンク送信方向の構成に基づいて情報送信を実行するステップとを含む。
【０００９】
このように、リソースエレメントの分割は、従来技術のようなサブフレームの形式に限定されなくてもよく、より小さい或いは大きいリソース単位が分割を通じて取得されてもよく、それにより、リソース分割はより柔軟になる。アップリンク及び/又はダウンリンク送信方向が様々な形式になり且つサイズが異なるリソースエレメントに基づいて構成されるとき、リソースの送信方向はより柔軟に構成されてもよい。さらに、1つの周期に含まれるリソースエレメントの数は限定されず、より多くのタイプのリソースエレメントが含まれてもよい。この場合、異なるタイプ及び異なる数量のリソースエレメントは、より多くの分布方式に対応してもよい。言い換えると、より多くの構成モード又は構造が存在する。このように、リソースエレメントのアップリンク又はダウンリンク送信方向はより柔軟に構成される。
【００１０】
第1の態様を参照して、可能な実現方式では、第1のデバイスは、高レイヤシグナリング、媒体アクセス制御(Media  Access  Control,  MAC)レイヤシグナリング又は物理レイヤシグナリングのうち少なくとも1つを使用することにより、周期を第2のデバイスに送信する。このように、第1のデバイスは、半静的或いは動的な構成方式で、構成された周期値を第2のデバイスに通知してもよい。
【００１１】
第1の態様及び上記の可能な実現方式を参照して、可能な実現方式では、第1のデバイスにより、高レイヤシグナリングを使用することにより、周期を第2のデバイスに送信することは、第1のデバイスにより、システム情報を使用することにより、周期を第2のデバイスに送信することを含む。このように、第1のデバイスは、重要なシステム情報を使用することにより、周期を第2のデバイスに通知してもよい。
【００１２】
第1の態様及び上記の可能な実現方式を参照して、他の可能な実現方式では、時間領域粒度がサブフレームであるとき、アップリンクリソースエレメントは、第1のアップリンクサブフレーム及び第2のアップリンクサブフレームのうち少なくとも1つを含み、ダウンリンクリソースエレメントは、第1のダウンリンクサブフレーム及び第2のダウンリンクサブフレームのうち少なくとも1つを含む。第1のアップリンクサブフレームは通常のアップリンクサブフレームであり、第1のダウンリンクサブフレームは通常のダウンリンクサブフレームであり、第2のアップリンクサブフレームは、ダウンリンク制御チャネル、アップリンクデータチャネル及びアップリンク制御チャネル上の送信を含み、第2のダウンリンクサブフレームは、ダウンリンク制御チャネル、ダウンリンクデータチャネル及びアップリンク制御チャネル上の送信を含む。
【００１３】
このように、従来技術と比較して、この出願のこの実施形態における構成モードでは、周期内のリソースエレメントは、複数の形式になってもよい。周期内のリソースエレメントがサブフレームであるとき、ここでのサブフレームは、通常のダウンリンクサブフレーム、通常のアップリンクサブフレーム及びスペシャルサブフレームに加えて、自己完結型アップリンクサブフレーム及び自己完結型ダウンリンクサブフレームを更に含んでもよい。これらのサブフレームは、異なる構成において異なる分布状況又は異なる構造に対応してもよい。このように、この出願のこの実施形態では、リソースの送信方向をより柔軟に構成するために、より多くの構成モードが取得されてもよい。
【００１４】
第1の態様及び上記の可能な実現方式を参照して、他の可能な実現方式では、時間領域粒度がスロットであるとき、アップリンクリソースエレメントは、第1のアップリンクスロット及び第2のアップリンクスロットのうち少なくとも1つを含み、ダウンリンクリソースエレメントは、第1のダウンリンクスロット及び第2のダウンリンクスロットのうち少なくとも1つを含む。第1のアップリンクスロットは通常のアップリンクスロットであり、第1のダウンリンクスロットは通常のダウンリンクスロットであり、第2のアップリンクスロットは、ダウンリンク制御チャネル、アップリンクデータチャネル及びアップリンク制御チャネル上の送信を含み、第2のダウンリンクスロットは、ダウンリンク制御チャネル、ダウンリンクデータチャネル及びアップリンク制御チャネル上の送信を含む。
【００１５】
このように、従来技術と比較して、この出願のこの実施形態における構成モードでは、周期内のリソースエレメントは、複数の形式になってもよい。周期内のリソースエレメントがスロットであるとき、ここでのスロットは、通常のダウンリンクスロット、通常のアップリンクスロット及びスペシャルスロットに加えて、自己完結型アップリンクスロット及び自己完結型ダウンリンクスロットを更に含んでもよい。これらのスロットは、異なる構成において異なる分布状況又は異なる構造に対応してもよい。このように、この出願のこの実施形態では、リソースの送信方向をより柔軟に構成するために、より多くの構成モードが取得されてもよい。
【００１６】
第1の態様及び前述の可能な実現方式を参照して、他の可能な実現方式では、リソース粒度は、周波数領域粒度を更に含み、周波数領域粒度は、物理リソースブロック(Physical  Resource  Block,  PRB)、制御チャネルエレメント(Control  Channel  Element,  CCE)、サブバンド又は周波数帯域を含む。このように、リソースエレメントは、より柔軟且つ細かく、2次元、すなわち、時間領域粒度及び周波数領域粒度に分割されてもよく、それにより、アップリンク又はダウンリンク送信方向は、リソースエレメントに基づいて、より柔軟に構成される。
【００１７】
第1の態様及び上記の可能な実現方式を参照して、他の可能な実現方式では、構成が、1つの周期に含まれるリソースエレメントのタイプ、数及び分布を記述するために使用されることは、構成が、現在の周期又は現在の周期の後の第kの周期に含まれるリソースエレメントのタイプ、数及び分布を記述するために使用され、kは正の整数であることを含む。
【００１８】
このように、関係するサービスが変化したとき、第1のデバイスは、現在の周期又は現在の周期の後の周期内のリソースエレメントのアップリンク及び/又はダウンリンク送信方向をリアルタイムで第2のデバイスに示してもよく、それにより、情報送信は、新たに構成されたアップリンク又はダウンリンク送信方向に基づいて現在の周期又は現在の周期の後の周期内で実行でき、それにより、動的に変化するサービス要件にタイムリーに応答する。
【００１９】
第1の態様及び上記の可能な実現方式を参照して、他の可能な実現方式では、第1の指示情報は、1つの周期内のリソースエレメントのアップリンク及び/又はダウンリンク送信方向を直接示すために使用される。このように、アップリンク及び/又はダウンリンク送信方向は、より直接的に構成されてもよい。
【００２０】
第1の態様及び上記の可能な実現方式を参照して、他の可能な実現方式では、第1の指示情報は、識別情報を含み、識別情報は、アップリンク及び/又はダウンリンク送信方向の構成を示すために使用される。第1のデバイスにより、第1の指示情報を第2のデバイスに送信する前に、当該方法は、第1のデバイスにより、初期構成情報を第2のデバイスに送信するか、或いは、運用、管理及び保守(Operation,  Administration,  and  Maintenance,  OAM)センタを使用することにより、初期構成情報を事前に構成するステップであり、初期構成情報は、識別情報とアップリンク及び/又はダウンリンク送信方向の構成との間の対応関係を含む、ステップを更に含む。
【００２１】
このように、第1のデバイスは、初期構成情報を事前に構成し、初期構成情報を第2のデバイスに通知してもよく、それにより、アップリンク及び/又はダウンリンク送信方向の構成中に、量が比較的少ない第1の指示情報のみが送信される必要がある。
【００２２】
第1の態様及び上記の可能な実現方式を参照して、他の可能な実現方式では、第1のデバイスにより、第1の指示情報を第2のデバイスに送信することは、第1のデバイスにより、高レイヤシグナリング、媒体アクセス制御MACレイヤシグナリング又は物理レイヤシグナリングのうち少なくとも1つを使用することにより、第1の指示情報を第2のデバイスに送信することを含む。
【００２３】
このように、第1の指示情報は、高レイヤシグナリングを使用することにより、半静的な構成方式で第2のデバイスに送信されてもよく、或いは、第1の指示情報は、MACレイヤシグナリング又は物理レイヤシグナリングのうちいずれかを使用することにより、動的な構成方式で第2のデバイスに送信されてもよい。
【００２４】
第1の態様及び上記の可能な実現方式を参照して、他の可能な実現方式では、第1のデバイスは、第1のパラメータで構成される。第1のパラメータが第1の予め設定された値であるとき、第1のデバイスにより、第1の指示情報を第2のデバイスに送信することは、第1のデバイスにより、高レイヤシグナリングを使用することにより、第1の指示情報を第2のデバイスに送信することを含む。第1のパラメータが第2の予め設定された値であるとき、第1のデバイスにより、第1の指示情報を第2のデバイスに送信することは、第1のデバイスにより、MACレイヤシグナリング又は物理レイヤシグナリングのうち少なくとも1つを使用することにより、第1の指示情報を第2のデバイスに送信することを含む。
【００２５】
このように、第1の予め設定された値と第2の予め設定された値との間での第1のパラメータの切り替えを通じて、第1のデバイスは、半静的な構成方式と動的な構成方式との間でアップリンク及び/又はダウンリンク送信方向を構成する方式を切り替えてもよく、或いは、動的な構成方式を活性化/非活性化してもよい。セル内のサービスが比較的大きく変動するとき、第1のデバイスは、動的なサービスにリアルタイムで応答するために、動的な構成方式を活性化してもよい。セル内のサービスが比較的わずかに変動するとき、第2のデバイスにより制御チャネルを検出するコストを低減してデバイスの電力消費を低減するために、第1のデバイスは、半静的な構成方式でアップリンク及び/又はダウンリンク送信方向を構成し、動的な構成方式を非活性化してもよい。さらに、動的な構成方式が使用されるとき、サービス特性を予測する必要なく、物理レイヤシグナリング又はMACレイヤシグナリングを使用することにより処理遅延が低減でき、それにより、第1のデバイスは、サービス特性に適応するために、リソースエレメントのアップリンク又はダウンリンク送信方向を効率的に調整できる。
【００２６】
第1の態様及び上記の可能な実現方式を参照して、第1のデバイスは、高レイヤシグナリング、MACレイヤシグナリング又は物理レイヤシグナリングのうち少なくとも1つを使用することにより、第1のパラメータを第2のデバイスに送信する。このように、第1のデバイスは、半静的な構成方式又は動的な構成方式で、第1のパラメータを第2のデバイスに送信してもよい。
【００２７】
第1の態様及び上記の可能な実現方式を参照して、第1のデバイスにより、高レイヤシグナリングを使用することにより、第1のパラメータを第2のデバイスに送信することは、第1のデバイスにより、システム情報を使用することにより、第1のパラメータを第2のデバイスに送信することを含む。このように、第1のデバイスは、システム情報を使用することにより、第1のパラメータを第2のデバイスに通知してもよい。
【００２８】
第1の態様及び上記の可能な実現方式を参照して、他の可能な実現方式では、第1の指示情報は、第2のパラメータを搬送し、第2のパラメータは、持続時間を示すために使用され、持続時間はN個の周期を含み、Nは正の整数である。構成が、1つの周期に含まれるリソースエレメントのタイプ、数及び分布を記述するために使用されることは、構成が、第2のパラメータにより示される持続時間time  durationに含まれるN個の周期のそれぞれに含まれるリソースエレメントのタイプ、数及び分布を記述するために使用されることを含む。
【００２９】
このように、第1の指示情報は、1つの時間ウィンドウに含まれる複数の周期のそれぞれにおけるアップリンク及び/又はダウンリンク送信方向の構成を示してもよく、周期内のアップリンク及び/又はダウンリンク送信方向の構成は同じである。
【００３０】
第1の態様及び上記の可能な実現方式を参照して、他の可能な実現方式では、第1の指示情報は、第3のパラメータを搬送し、第3のパラメータは、時点を示すために使用され、構成が、1つの周期に含まれるリソースエレメントのタイプ、数及び分布を記述するために使用されることは、構成が、第3のパラメータにより示される時点の後の時間領域における各周期に含まれるリソースエレメントのタイプ、数及び分布を記述するために使用されることを含む。
【００３１】
このように、第1の指示情報は、開始時点の後の各周期内のアップリンク及び/又はダウンリンク送信方向の構成を示してもよく、周期内のアップリンク及び/又はダウンリンク送信方向の構成は同じである。
【００３２】
第1の態様及び上記の可能な実現方式を参照して、他の可能な実現方式では、第1の指示情報は、第2のパラメータ及び第3のパラメータを搬送し、第2のパラメータは、持続時間を示すために使用され、第3のパラメータは、時点を示すために使用され、構成が、1つの周期に含まれるリソースエレメントのタイプ、数及び分布を記述するために使用されることは、構成が、第2のパラメータにより示され且つ第3のパラメータにより示される時点から始まる持続時間内の各周期に含まれるリソースエレメントのタイプ、数及び分布を記述するために使用されることを含む。
【００３３】
このように、第1の指示情報は、或る時点から始まる1つの時間ウィンドウに含まれる複数の周期のそれぞれにおけるアップリンク及び/又はダウンリンク送信方向の構成を示してもよく、周期内のアップリンク及び/又はダウンリンク送信方向の構成は同じである。
【００３４】
第1の態様及び上記の可能な実現方式を参照して、他の可能な実現方式では、第1のデバイスは、第2のパラメータで更に構成され、第2のパラメータは、持続時間を示すために使用される。当該方法は、第1のデバイスにより、高レイヤシグナリング、MACレイヤシグナリング又は物理レイヤシグナリングのうち少なくとも1つを使用することにより、第2の指示情報を第2のデバイスに送信するステップを更に含む。第2の指示情報は、第2のパラメータを搬送し、第2の指示情報は、第2のパラメータにより示される持続時間内の各周期内のアップリンク及び/又はダウンリンク送信方向の構成が、第1の指示情報により示される構成であることを示すために使用される。
【００３５】
このように、第2の指示情報は、1つの時間ウィンドウに含まれる複数の周期のそれぞれにおけるアップリンク及び/又はダウンリンク送信方向の構成を示してもよく、各周期内のアップリンク及び/又はダウンリンク送信方向の構成は、第1の指示情報により示される構成である。
【００３６】
第1の態様及び上記の可能な実現方式を参照して、他の可能な実現方式では、第1のデバイスは、第3のパラメータで更に構成され、第3のパラメータは、時点を示すために使用される。当該方法は、第1のデバイスにより、高レイヤシグナリング、MACレイヤシグナリング又は物理レイヤシグナリングのうち少なくとも1つを使用することにより、第3の指示情報を第2のデバイスに送信するステップであり、第2の指示情報は、第3のパラメータを搬送し、第3の指示情報は、第3のパラメータにより示される時点の後の時間領域における各周期内のアップリンク及び/又はダウンリンク送信方向の構成が、第1の指示情報により示される構成であることを示すために使用される、ステップを更に含む。
【００３７】
このように、第3の指示情報は、或る時点の後の各周期内のアップリンク及び/又はダウンリンク送信方向の構成を示してもよく、各周期内のアップリンク及び/又はダウンリンク送信方向の構成は、第1の指示情報により示される構成である。
【００３８】
第1の態様及び上記の可能な実現方式を参照して、他の可能な実現方式では、第1のデバイスは、第2のパラメータ及び第3のパラメータで更に構成され、第2のパラメータは、持続時間を示すために使用され、第3のパラメータは、時点を示すために使用される。当該方法は、第1のデバイスにより、高レイヤシグナリング、MACレイヤシグナリング又は物理レイヤシグナリングのうち少なくとも1つを使用することにより、第4の指示情報を第2のデバイスに送信するステップであり、第4の指示情報は、第2のパラメータ及び第3のパラメータを搬送し、第4の指示情報は、第2のパラメータにより示され且つ第3のパラメータにより示される時点から始まる持続時間内の各周期内のアップリンク及び/又はダウンリンク送信方向の構成が、第1の指示情報により示される構成であることを示すために使用される、ステップを更に含む。
【００３９】
このように、第3の指示情報は、或る時点から始まる時間ウィンドウ内の各周期内のアップリンク及び/又はダウンリンク送信方向の構成を示してもよく、各周期内のアップリンク及び/又はダウンリンク送信方向の構成は、第1の指示情報により示される構成である。
【００４０】
第1の態様及び上記の可能な実現方式を参照して、他の可能な実現方式では、第1のデバイスにより、物理レイヤシグナリングを使用することにより、第1の指示情報を第2のデバイスに送信することは、第1のデバイスにより、保持された物理ハイブリッド自動再送要求インジケータチャネル(Physical  Hybrid  ARQ  Indicator  Channel,  PHICH)リソースを使用することにより、第1の指示情報を第2のデバイスに送信すること、又は第1のデバイスにより、物理ダウンリンク制御チャネル(Physical  Downlink  Control  Channel,  PDCCH)リソース内の保持されたCCEリソースを使用することにより、第1の指示情報を第2のデバイスに送信すること、又は第1のデバイスにより、新たに追加されたPDCCHリソースを使用することにより、第1の指示情報を送信することを含む。新たに追加されたPDCCHリソースは、第1のデバイスにより第2のデバイスに通知される必要があるか、或いは、OAMを通じて予め構成される必要がある。第1のデバイスは、高レイヤシグナリングを使用することにより、新たに追加されたPDCCHリソースを第2のデバイスに通知してもよい。新たなPDCCHは、グループPDCCH(group  PDCCH)、共通PDCCH(common  PDCCH)又はグループ共通PDCCH(group  common  PDCCH)のうち少なくとも1つでもよい。新たなPDCCHは、新たなダウンリンク制御情報(Downlink  Control  Information,  DCI)を導入するために、UEのグループ、時間領域リソースのグループ又は周波数領域リソースのグループについて定義された特定のPDCCHである。
【００４１】
このように、第1のデバイスは、第2のデバイス側でのブラインド検出を増加させないように、保持されたリソース上で第1の指示情報を送信する。さらに、従来技術における物理制御フォーマットインジケータチャネル(Physical  Control  Format  Indicator  Channel,  PCFICH)、PHICH又はDCI符号化機構が、第1の指示情報を送信する際に低い実現複雑性を達成するために再利用されてもよい。
【００４２】
第1の態様及び上記の可能な実現方式を参照して、他の可能な実現方式では、第1のデバイスは、第1のリソースセット及び第2のリソースセットで構成され、第1のリソースセット内のリソースエレメントの送信方向は固定され、第2のリソースセット内のリソースエレメントの送信方向は可変である。
【００４３】
このように、第1のリソースセットは、分割を通じて取得され、それにより、重要な制御情報は、システム性能を改善するために、保持された第1のリソースセット内のリソースエレメントを使用することにより送信できる。例えば、第2のデバイスは、ネットワークに迅速にアクセスするために、保持された第1のリソースセット内の特定のリソースエレメント内でシグナリングを直接検出してもよい。
【００４４】
第1の態様及び上記の可能な実現方式を参照して、他の可能な実現方式では、当該方法は、第1のデバイスにより、第1の通知メッセージを第2のデバイスに送信するステップであり、第1の通知メッセージは、第2のリソースセット内のいくつか又は全てのリソースが第1のリソースセットに変換されることを通知するために使用される、ステップを更に含む。
【００４５】
このように、送信される必要がある重要な制御情報のデータ量が比較的大きいとき、第2のリソースセット内のいくつか又は全てのリソースは、重要な制御情報を送信するために、第1のリソースセットにグループ化されてもよく、それにより、リソース構成はより柔軟になる。
【００４６】
第1の態様及び上記の可能な実現方式を参照して、他の可能な実現方式では、当該方法は、第1のデバイスにより、第2の通知メッセージを第2のデバイスに送信するステップであり、第2の通知メッセージは、第1のリソースセット内のいくつか又は全てのリソースが第2のリソースセットに変換されることを通知するために使用される、ステップを更に含む。
【００４７】
このように、送信される必要がある重要な制御情報のデータ量が比較的小さいとき、第1のリソースセットにグループ化された第2のリソースセット内のリソースは、第2のリソースセットに再グループ化され、それにより、リソース構成はより柔軟になる。
【００４８】
第1の態様及び上記の可能な実現方式を参照して、他の可能な実現方式では、第1のデバイスにより、第1の通知メッセージ及び/又は第2の通知メッセージを第2のデバイスに送信することは、第1のデバイスにより、高レイヤシグナリング、MACレイヤシグナリング又は物理レイヤシグナリングのうち少なくとも1つを使用することにより、第1の通知メッセージ及び/又は第2の通知メッセージを第2のデバイスに送信することを含む。
【００４９】
このように、第1のデバイスは、半静的或いは動的な構成方式で、第1の通知メッセージ及び/又は第2の通知メッセージを第2のデバイスに通知してもよい。
【００５０】
第1の態様及び上記の可能な実現方式を参照して、他の可能な実現方式では、第1のデバイスにより、初期構成情報を第2のデバイスに送信することは、第1のデバイスにより、第1のリソースセット内のリソースエレメントを使用することにより、初期構成情報を第2のデバイスに送信することを含む。
【００５１】
初期構成情報の量は比較的大きく、初期構成情報は重要なシステム情報に属するので、初期構成情報は、第1リソースセット内のリソースエレメントを使用することにより送信されてもよい。
【００５２】
第1の態様及び上記の可能な実現方式を参照して、他の可能な実現方式では、第1のデバイスにより、第1の指示情報を第2のデバイスに送信することは、第1のデバイスにより、第1のリソースセット及び第2のリソースセットのうち少なくとも1つの中のリソースエレメントを使用することにより、第1の指示情報を第2のデバイスに送信することを含む。
【００５３】
このように、第1のリソースセット及び第2のリソースセットの双方におけるリソースエレメントは、第1の指示情報を送信するために使用されてもよい。さらに、第1の指示情報が第1のリソースセット内のリソースエレメントを使用することにより送信されるとき、リソースエレメントの送信方向が固定されるので、性能が満たされることができるだけでなく、干渉も低減できる。
【００５４】
第2の態様によれば、この出願の実施形態は、送信方向構成方法を提供し、第2のデバイスにより、第1のデバイスにより送信された第1の指示情報を受信するステップであり、第1の指示情報は、アップリンク及び/又はダウンリンク送信方向の構成を示すために使用され、構成は、1つの周期に含まれるリソースエレメントのタイプ、数及び分布を記述するために使用され、リソースエレメントは、リソース粒度に基づく分割を通じて取得されたリソースであり、リソース粒度は、時間領域粒度を含み、時間領域粒度は、1つの直交周波数分割多重OFDMシンボルよりも小さいリソース単位、OFDMシンボル、ミニスロット、スロット、ミニサブフレーム、サブフレーム、無線フレーム又はスーパーフレームを含み、リソースエレメントのタイプは、アップリンクリソースエレメント、ダウンリンクリソースエレメント、及びダウンリンクリソースエレメントとアップリンクリソースエレメントとの間の切り替えリソースエレメントを含み、アップリンクリソースエレメントの送信方向はアップリンク方向であり、ダウンリンクリソースエレメントの送信方向はダウンリンク方向である、ステップと、第2のデバイスにより、第1の指示情報により示されるアップリンク及び/又はダウンリンク送信方向の構成に基づいて情報送信又は構成動作を実行するステップとを含む。
【００５５】
このように、リソースエレメントの分割は、従来技術のようなサブフレームの形式に限定されなくてもよく、より小さい或いは大きいリソース単位が分割を通じて取得されてもよく、それにより、リソース分割はより柔軟になる。アップリンク及び/又はダウンリンク送信方向が様々な形式になり且つサイズが異なるリソースエレメントに基づいて構成されるとき、リソースの送信方向はより柔軟に構成されてもよい。さらに、1つの周期に含まれるリソースエレメントの数は限定されず、より多くのタイプのリソースエレメントが含まれてもよい。この場合、異なるタイプ及び異なる数量のリソースエレメントは、より多くの分布方式に対応してもよい。言い換えると、より多くの構成モードが存在する。このように、リソースエレメントのアップリンク又はダウンリンク送信方向はより柔軟に構成される。
【００５６】
第2の態様を参照して、可能な実現方式では、第1の指示情報は、識別情報を含み、識別情報は、アップリンク及び/又はダウンリンク送信方向の構成を示すために使用され、第2のデバイスにより、第1のデバイスへの第1の指示情報を受信する前に、当該方法は、
第2のデバイスにより、第1のデバイスにより送信された初期構成情報を受信するか、或いは、運用、管理及び保守OAMセンタを使用することにより、初期構成情報を事前に構成するステップであり、初期構成情報は、識別情報とアップリンク及び/又はダウンリンク送信方向の構成との間の対応関係を含む、ステップを更に含む。
【００５７】
このように、第2のデバイスは、初期構成情報と第1の指示情報内の識別情報とを組み合わせることにより、リソースエレメントのアップリンク又はダウンリンク送信方向を習得してもよい。
【００５８】
第2の態様及び上記の可能な実現方式を参照して、可能な実現方式では、第2のデバイスにより、第1のデバイスにより送信された第1の指示情報を受信することは、第2のデバイスにより、高レイヤシグナリング、媒体アクセス制御MACレイヤシグナリング又は物理レイヤシグナリングのうち少なくとも1つを使用することにより、第2のデバイスにより送信された第1の指示情報を受信することを含む。
【００５９】
このように、第2のデバイスは、半静的な構成方式で、第1のデバイスにより送信された第1の指示情報を受信してもよく、或いは、第2のデバイスは、動的な構成方式で、第1のデバイスにより送信された第1の指示情報を受信してもよい。
【００６０】
第2の態様及び上記の可能な実現方式を参照して、可能な実現方式では、第1のパラメータが第1の予め設定された値であるとき、第1のデバイスにより、第1の指示情報を第2のデバイスに送信することは、第1のデバイスにより、高レイヤシグナリングを使用することにより、第1の指示情報を第2のデバイスに送信することを含む。第1のパラメータが第2の予め設定された値であるとき、第1のデバイスにより、第1の指示情報を第2のデバイスに送信することは、第1のデバイスにより、MACレイヤシグナリング又は物理レイヤシグナリングのうち少なくとも1つを使用することにより、第1の指示情報を第2のデバイスに送信することを含む。
【００６１】
このように、リソースエレメントのアップリンク又はダウンリンク送信方向を構成するために、第2のデバイスは、半静的或いは動的な方式で、第1のパラメータの異なる値に基づいて第1の指示情報を受信してもよい。
【００６２】
第3の態様によれば、この出願の実施形態は、第1のデバイスを提供し、第1の指示情報を第2のデバイスに送信するように構成された送信ユニットであり、第1の指示情報は、アップリンク及び/又はダウンリンク送信方向の構成を示すために使用され、構成は、1つの周期に含まれるリソースエレメントのタイプ、数及び分布を記述するために使用され、リソースエレメントは、リソース粒度に基づく分割を通じて取得されたリソースであり、リソース粒度は、時間領域粒度を含み、時間領域粒度は、1つの直交周波数分割多重OFDMシンボルよりも小さいリソース単位、OFDMシンボル、ミニスロット、スロット、ミニサブフレーム、サブフレーム、無線フレーム又はスーパーフレームを含み、リソースエレメントのタイプは、アップリンクリソースエレメント、ダウンリンクリソースエレメント、及びダウンリンクリソースエレメントとアップリンクリソースエレメントとの間の切り替えリソースエレメントを含み、アップリンクリソースエレメントの送信方向はアップリンク方向であり、ダウンリンクリソースエレメントの送信方向はダウンリンク方向である、送信ユニットと、第1の指示情報により示されるアップリンク及び/又はダウンリンク送信方向の構成に基づいて情報送信を実行するように構成された処理ユニットとを含む。
【００６３】
第4の態様によれば、この出願の実施形態は、第2のデバイスを提供し、第1のデバイスにより送信された第1の指示情報を受信するように構成された受信ユニットであり、第1の指示情報は、アップリンク及び/又はダウンリンク送信方向の構成を示すために使用され、構成は、1つの周期に含まれるリソースエレメントのタイプ、数及び分布を記述するために使用され、リソースエレメントは、リソース粒度に基づく分割を通じて取得されたリソースであり、リソース粒度は、時間領域粒度を含み、時間領域粒度は、1つの直交周波数分割多重OFDMシンボルよりも小さいリソース単位、OFDMシンボル、ミニスロット、スロット、ミニサブフレーム、サブフレーム、無線フレーム又はスーパーフレームを含み、リソースエレメントのタイプは、アップリンクリソースエレメント、ダウンリンクリソースエレメント、及びダウンリンクリソースエレメントとアップリンクリソースエレメントとの間の切り替えリソースエレメントを含み、アップリンクリソースエレメントの送信方向はアップリンク方向であり、ダウンリンクリソースエレメントの送信方向はダウンリンク方向である、受信ユニットと、第1の指示情報により示されるアップリンク及び/又はダウンリンク送信方向の構成に基づいて情報送信又は構成動作を実行するように構成された処理ユニットとを含む。
【００６４】
第5の態様によれば、この出願の実施形態は、少なくとも1つのプロセッサと、メモリと、バスと、通信インタフェースとを含む第1のデバイスを提供し、メモリは、コンピュータ実行可能命令を記憶するように構成され、少なくとも1つのプロセッサは、バスを使用することによりメモリに接続され、第1のデバイスが動作するとき、少なくとも1つのプロセッサは、メモリに記憶されたコンピュータ実行可能命令を実行し、それにより、第1のデバイスは、第1の態様又は第1の態様の実現方式のうちいずれか1つによる構成方法を実行する。
【００６５】
第6の態様によれば、この出願の実施形態は、少なくとも1つのプロセッサと、メモリと、バスと、通信インタフェースとを含む第2のデバイスを提供し、メモリは、コンピュータ実行可能命令を記憶するように構成され、少なくとも1つのプロセッサは、バスを使用することによりメモリに接続され、第2のデバイスが動作するとき、少なくとも1つのプロセッサは、メモリに記憶されたコンピュータ実行可能命令を実行し、それにより、第2のデバイスは、第2の態様又は第2の態様の実現方式のうちいずれか1つによる構成方法を実行する。
【００６６】
第7の態様によれば、この出願の実施形態は、第1の態様で使用されるコンピュータソフトウェア命令を記憶するように構成されたコンピュータ読み取り可能記憶媒体を提供し、それにより、コンピュータソフトウェア命令が第1のデバイス上で実行されるとき、第1のデバイスは、第1の態様又は第1の態様の実現方式のうちいずれか1つによる構成方法を実行する。
【００６７】
第8の態様によれば、この出願の実施形態は、第2の態様で使用されるコンピュータソフトウェア命令を記憶するように構成されたコンピュータ読み取り可能記憶媒体を提供し、それにより、コンピュータソフトウェア命令が第2のデバイス上で実行されるとき、第2のデバイスは、第2の態様又は第2の態様の実現方式のうちいずれか1つによる構成方法を実行する。
【００６８】
第9の態様によれば、この出願の実施形態は、命令を含むコンピュータプログラムプロダクトを提供し、それにより、コンピュータプログラムプロダクトが第1のデバイス上で実行されるとき、第1のデバイスは、第1の態様又は第1の態様の実現方式のうちいずれか1つによる構成方法を実行する。
【００６９】
第10の態様によれば、この出願の実施形態は、命令を含むコンピュータプログラムプロダクトを提供し、それにより、コンピュータプログラムプロダクトが第2のデバイス上で実行されるとき、第2のデバイスは、第2の態様又は第2の態様の実現方式のうちいずれか1つによる構成方法を実行する。
【００７０】
第11の態様によれば、この出願の実施形態は、第1の態様又は第1の態様の実現方式のうちいずれか1つによる第1のデバイスと、第2の態様又は第2の態様の実現方式のうちいずれか1つによる第2のデバイスとを含むシステムを提供する。
【図面の簡単な説明】
【００７１】
【図１】従来技術において提供されるアップリンク及び/又はダウンリンク送信方向を構成するモードを示す。
【図２ａ】この出願の実施形態による新型アップリンクサブフレーム/新型アップリンクスロットの概略構造図である。
【図２ｂ】この出願の実施形態による新型ダウンリンクサブフレーム/新型ダウンリンクスロットの概略構造図である。
【図３】この出願の実施形態による物理リソースブロックの概略構造図である。
【図４】この出願の実施形態によるネットワークアーキテクチャの概略図である。
【図５】この出願の実施形態による基地局の概略構造図である。
【図６】この出願の実施形態による移動電話端末の概略構造図である。
【図７】この出願の実施形態による送信方向構成方法のフローチャートである。
【図８ａ】この出願の実施形態による第1の指示情報の位置の概略図である。
【図８ｂ】この出願の実施形態による第1の指示情報の他の位置の概略図である。
【図９】この出願の実施形態による送信方向構成方法の他のフローチャートである。
【図１０】この出願の実施形態による送信方向構成方法の更に他のフローチャートである。
【図１１ａ】この出願の実施形態によるアップリンク及び/又はダウンリンク送信方向の構成の概略図である。
【図１１ｂ】この出願の実施形態によるアップリンク及び/又はダウンリンク送信方向の他の構成の概略図である。
【図１２】この出願の実施形態による送信方向構成方法の更に他のフローチャートである。
【図１３】この出願の実施形態による第1のデバイスの概略構造図である。
【図１４】この出願の実施形態による第2のデバイスの概略構造図である。
【図１５】この出願の実施形態による装置の概略構造図である。
【発明を実施するための形態】
【００７２】
以下に、この出願の実施形態における添付の図面を参照して、この出願の実施形態における技術的解決策について説明する。この出願の説明において、「/」は、別段の定めがない限り、「又は」を意味する。例えば、A/Bは、A又はBを表してもよい。この明細書において、「及び/又は」は、関連する対象物を記述するための関連付け関係のみを記述しており、3つの関係が存在してもよいことを表す。例えば、A及び/又はBは、以下の3つの場合、すなわち、Aのみが存在する場合、A及びBの双方が存在する場合、及びBのみが存在する場合を表してもよい。さらに、この出願の説明において、「複数」は、2つ以上を意味する。
【００７３】
理解を容易にするために、この出願における関係する概念のいくつかの説明は、以下のように、参考のための例として提供される。
【００７４】
スペシャルサブフレーム:ダウンリンクサブフレームとアップリンクサブフレームとの間に位置する切り替えサブフレーム。
【００７５】
静的な構成:通常では、事前構成を使用することにより、或いは、ネットワーク計画法を使用することにより実行される構成。
【００７６】
動的な構成:リアルタイム構成方式、又は比較的高い変更頻度を有する構成方式。
【００７７】
半静的な構成:比較的低い変更頻度を有する、静的な構成と動的な構成との間の構成。半静的な構成は、比較的長い構成周期を有する構成方式、又は比較的長い構成持続時間を有する構成方式であり、通常では、高レイヤシグナリングを使用することにより実行される。
【００７８】
リソースエレメント:リソース粒度に基づく分割を通じて取得されたリソース単位。
【００７９】
新型サブフレーム:自己完結型サブフレーム、新radioサブフレーム、双方向サブフレーム又は混合サブフレームとも呼ばれる。新型サブフレームは、新型ダウンリンクサブフレーム及び新型アップリンクサブフレームを含んでもよい。図２ａに示すように、新型アップリンクサブフレームは、ダウンリンク制御チャネル、アップリンクデータチャネル及びアップリンク制御チャネル上の送信を含んでもよい。新型ダウンリンクサブフレームは、ダウンリンク制御チャネル、ダウンリンクデータチャネル及びアップリンク制御チャネル上の送信を含んでもよい。新型アップリンクサブフレームはまた、アップリンク優勢サブフレーム又はアップリンク中心サブフレームとも呼ばれてもよい。新型ダウンリンクサブフレームはまた、ダウンリンク優勢サブフレーム又はダウンリンク中心サブフレームと呼ばれてもよい。この出願の以下の実施形態では、新型アップリンクサブフレームは第2のアップリンクサブフレームであり、新型ダウンリンクサブフレームは、第2のダウンリンクサブフレームである。第2のアップリンクサブフレームでは、ダウンリンク制御チャネルは、サブフレームの最初のいくつかのOFDMシンボル(例えば、最初の2つ又は最初の3つのOFDMシンボル)を占有し、アップリンク制御チャネルは、サブフレームの最後のいくつかのOFDMシンボル(例えば、最後の2つ又は最後の3つのOFDMシンボル)を占有し、アップリンクデータチャネルは、ダウンリンク制御チャネルとアップリンク制御チャネルとの間のOFDMシンボルを占有し、ダウンリンク制御チャネルとアップリンクデータチャネルとの間に切り替え区間又はガード区間が存在する。第2のダウンリンクサブフレームでは、ダウンリンク制御チャネルは、サブフレームの最初のいくつかのOFDMシンボル(例えば、最初の2つ又は最初の3つのOFDMシンボル)を占有し、アップリンク制御チャネルは、サブフレームの最後のいくつかのOFDMシンボル(例えば、最後の2つ又は最後の3つのOFDMシンボル)を占有し、ダウンリンクデータチャネルは、ダウンリンク制御チャネルとアップリンク制御チャネルとの間のOFDMシンボルを占有し、ダウンリンクデータチャネルとアップリンク制御チャネルとの間に切り替え区間又はガード区間が存在する。
【００８０】
新型スロット:自己完結型スロット、新radioスロット、双方向スロット又は混合スロットとも呼ばれる。新型スロットは、新型ダウンリンクスロット及び新型アップリンクスロットを含んでもよい。図２ａに示すように、新型アップリンクスロットは、ダウンリンク制御チャネル、アップリンクデータチャネル及びアップリンク制御チャネル上の送信を含んでもよい。新型ダウンリンクスロットは、ダウンリンク制御チャネル、ダウンリンクデータチャネル及びアップリンク制御チャネル上の送信を含んでもよい。この出願の以下の実施形態では、新型アップリンクスロットは第2のアップリンクスロットであり、新型ダウンリンクスロットは、第2のダウンリンクスロットである。第2のアップリンクスロットでは、ダウンリンク制御チャネルは、サブフレームの最初のいくつかのOFDMシンボル(例えば、最初の2つ又は最初の3つのOFDMシンボル)を占有し、アップリンク制御チャネルは、サブフレームの最後のいくつかのOFDMシンボル(例えば、最後の2つ又は最後の3つのOFDMシンボル)を占有し、アップリンクデータチャネルは、ダウンリンク制御チャネルとアップリンク制御チャネルとの間のOFDMシンボルを占有し、ダウンリンク制御チャネルとアップリンクデータチャネルとの間に切り替え区間又はガード区間が存在する。第2のダウンリンクスロットでは、ダウンリンク制御チャネルは、サブフレームの最初のいくつかのOFDMシンボル(例えば、最初の2つ又は最初の3つのOFDMシンボル)を占有し、アップリンク制御チャネルは、サブフレームの最後のいくつかのOFDMシンボル(例えば、最後の2つ又は最後の3つのOFDMシンボル)を占有し、ダウンリンクデータチャネルは、ダウンリンク制御チャネルとアップリンク制御チャネルとの間のOFDMシンボルを占有し、ダウンリンクデータチャネルとアップリンク制御チャネルとの間に切り替え区間又はガード区間が存在する。
【００８１】
ミニサブフレーム:より小さい数量の直交周波数分割多重OFDMシンボルを含むサブフレーム。
【００８２】
ミニスロット:より小さい数量のOFDMシンボルを含むスロット。
【００８３】
物理リソースブロック(PRB):図３に示す物理リソースブロックは、合計で12個の行と7つの列とを含み、各列は1つのOFDMシンボルを表し、各行は1つのサブキャリアを表す。PRBは、周波数領域で12個の連続するサブキャリアに対応し、時間領域で1つのスロットに対応する。
【００８４】
リソースエレメント(Resource  Element,  RE):リソースエレメントは、周波数において1つのサブキャリアに対応し、時間領域において1つのOFDMシンボルに対応する。
【００８５】
サブバンド:サブバンドはいくつかのサブキャリアを含む。
【００８６】
周波数帯域:全体のキャリアの周波数帯域。
【００８７】
スロット:7つのOFDMシンボルは1つのスロットに対応する。
【００８８】
サブフレーム:1つのサブフレームは2つのスロットを含む。
【００８９】
無線フレーム:1つの無線フレームは10個のサブフレームを含む。
【００９０】
スーパーフレーム:1つのスーパーフレームは51個のマルチフレームを含み、1つのマルチフレームは26個のサブフレームを含む。
【００９１】
この出願の実施形態において提供される技術的解決策について、添付の図面を参照して以下に説明する。
【００９２】
この出願の実施形態において提供される技術的解決策は、様々な移動通信システム、例えば、現在の3GPP準拠の移動通信システム、第4世代移動通信技術(the  4th  Generation  mobile  communication,  4G)通信システム、第5世代移動通信技術(5th-Generation,  5G)通信システムのような将来の進化型ネットワーク、ロングタームエボリューション(Long  Term  Evolution,  LTE)システム、3GPP関係のセルラシステム及び他の同様の通信システムに適用されてもよい。特に、技術的解決策は、5G超高密度ネットワーク(Ultra  Dense  Network,  UDN)システムに適用されてもよい。5G標準は、マシン対マシン(Machine  to  Machine,  M2M)、D2M、マクロ・マイクロ通信、拡張モバイルブロードバンド(Enhanced  Mobile  Broadband,  eMBB)、超高信頼性及び低遅延通信(Ultra  Reliable  &  Low  Latency  Communication,  uRLLC)並びに大容量マシンタイプ通信(Massive  Machine  Type  Communication,  mMTC)のようなシナリオを含んでもよい点に留意する必要がある。これらのシナリオは、基地局の間の通信のシナリオ、基地局と端末との間の通信のシナリオ、端末の間の通信のシナリオ等を含んでもよく、これらに限定されない。この出願の実施形態において提供される技術的解決策はまた、基地局と端末との間の通信、基地局の間の通信又は端末の間の通信のような5G通信システムにおけるシナリオに適用されてもよい。
【００９３】
基地局と端末との間の通信のシナリオでは、基地局がデータを端末に送信する方向はダウンリンク方向であり、基地局が端末からデータを受信する方向はアップリンク方向である。基地局1と基地局2との間の通信のシナリオでは、基地局1について、基地局1がデータを基地局2に送信する方向はダウンリンク方向であり、基地局1が基地局2からデータを受信する方向はアップリンク方向である。端末1と端末2との間の通信のシナリオでは、端末1について、端末1がデータを端末2に送信する方向はダウンリンク方向であり、端末1が端末2からデータを受信する方向はアップリンク方向である。
【００９４】
この出願の実施形態において提供される技術的解決策は、図４に示すシステムアーキテクチャに適用されてもよい。システムアーキテクチャは、セル1及びセル2を含んでもよい。セル1は、基地局100と、基地局100に接続された1つ以上の端末200とを含む。セル2は、基地局300等を含む。基地局100及び端末200は、リソースについて構成されたアップリンク又はダウンリンク送信方向に基づいて、互いに情報送信を実行する。基地局100及び基地局300は、リソースについてピアにより構成された送信方向に基づいて構成動作(例えば、リソーススケジューリング)を実行するために、リソースについて構成された送信方向を互いに通知してもよい。ここで、リソースは、時間領域リソース、周波数領域リソース及び符号領域リソースのうち少なくとも1つを含む。
【００９５】
基地局100は、端末200及び基地局300と通信可能なデバイスでもよい。基地局100又は基地局300は、中継局、アクセスポイント等でもよい。基地局100又は基地局300は、グローバル・システム・フォー・モバイル・コミュニケーションズ(Global  System  for  Mobile  Communications,  GSM)又は符号分割多元接続(Code  Division  Multiple  Access,  CDMA)ネットワークにおける基地送受信局(Base  Transceiver  Station,  BTS)でもよく、或いは、広帯域符号分割多元接続(Wideband  Code  Division  Multiple  Access,  WCDMA)におけるNB(NodeB)でもよく、或いは、LTEにおけるeNB又はeNodeB(evolved  NodeB)でもよい。代替として、基地局100又は基地局300は、クラウド無線アクセスネットワーク(Cloud  Radio  Access  Network,  CRAN)シナリオにおける無線コントローラでもよい。代替として、基地局100は、将来の5Gネットワークにおけるネットワークデバイス、又は将来の進化型公衆陸上移動ネットワーク(Public  Land  Mobile  Network,  PLMN)におけるネットワークデバイスでもよく、或いは、ウェアラブルデバイス、車載デバイス等でもよい。将来の5Gネットワークにおけるネットワークデバイスは、新無線NodeB(new  radio  NodeB)、次世代NodeB(next  generation  NodeB,  gNB)又は送信ポイント(transmission  point)を含んでもよい。
【００９６】
端末200は、ユーザ機器(User  Equipment,  UE)、アクセス端末、UEユニット、UE局、移動局、移動局、遠隔局、遠隔端末、移動デバイス、UE端末、端末、無線通信デバイス、UEエージェント、UE装置等でもよい。アクセス端末は、セルラ電話、コードレス電話、セッションイニシエーションプロトコル(Session  Initiation  Protocol,  SIP)電話、無線ローカルループ(Wireless  Local  Loop,  WLL)局、パーソナルデジタルアシスタント(Personal  Digital  Assistant,  PDA)、ハンドヘルドデバイス又は無線通信機能を有するコンピューティングデバイス、無線モデムに接続された他の処理デバイス、車載デバイス、ウェアラブルデバイス、将来の5Gネットワークにおける端末デバイス、将来の進化型PLMNにおける端末デバイス等でもよい。
【００９７】
一例では、基地局100又は基地局300は、図５に示す基地局の構造を使用することにより実現されてもよい。図５に示すように、基地局は、ビルディングベースバンドユニット(Building  Baseband  Unit,  BBU)と、遠隔無線ユニット(Remote  Radio  Unit,  RRU)とを含んでもよい。RRUは、アンテナ給電システム(すなわち、アンテナ)に接続され、BBU及びRRUは、要件に基づいて使用のために分割されてもよい。具体的な実現プロセスにおいて、基地局100は、他の普遍的なハードウェアアーキテクチャを更に使用してもよく、図４に示す普遍的なハードウェアアーキテクチャに限定されない点に留意すべきである。
【００９８】
例えば、端末200は移動電話である。以下に、移動電話の普遍的なハードウェアアーキテクチャについて説明する。図６に示すように、移動電話は、無線周波数(Radio  Frequency,  RF)回路110、メモリ120、他の入力デバイス130、ディスプレイスクリーン140、センサ150、オーディオ回路160、I/Oサブシステム170、プロセッサ180及び電源190のような構成要素を含んでもよい。当業者は、図６に示す移動電話の構造が移動電話に対する限定を構成せず、移動電話が図６に示すものよりも多い或いは少ない構成要素を含んでもよく、或いは、いくつかの構成要素が組み合わされてもよく、或いは、いくつかの構成要素が分割されてもよく、或いは、異なる構成要素の配置が使用されてもよいことを理解し得る。当業者は、ディスプレイスクリーン140がユーザインタフェース(User  Interface,  UI)に属し、ディスプレイスクリーン140がディスプレイパネル141及びタッチパネル142を含んでもよいことを理解し得る。さらに、移動電話は、図６に示すものよりも多い或いは少ない構成要素を含んでもよい。図示しないが、移動電話は、カメラ及びブルートゥースモジュールのような機能モジュール又は構成要素を更に含んでもよい。詳細は、ここでは再び説明しない。
【００９９】
さらに、プロセッサ180は、RF回路110、メモリ120、オーディオ回路160、I/Oサブシステム170及び電源190に接続される。I/Oサブシステム170は、他の入力デバイス130、ディスプレイスクリーン140及びセンサ150に接続される。RF回路110は、情報受信又は送信中に或いは通話プロセスにおいて信号を受信及び送信するように、特に、基地局からダウンリンク情報を受信した後に、処理のためにダウンリンク情報をプロセッサ180に送信するように構成されてもよい。メモリ120は、ソフトウェアプログラム及びソフトウェアモジュールを記憶するように構成されてもよい。プロセッサ180は、移動電話の様々な機能アプリケーションを実行してデータを処理するために、メモリ120に記憶されたソフトウェアプログラム及びソフトウェアモジュールを動作させる。他の入力デバイス130は、入力された数値又は文字情報を受信し、移動電話のユーザ設定及び機能制御に関するキー信号入力を生成するように構成されてもよい。ディスプレイスクリーン140は、ユーザにより入力された情報又はユーザのために提供される情報及び移動電話の様々なメニューを表示するように構成されてもよく、ユーザ入力を更に受け付けてもよい。センサ150は、光センサ、動きセンサ又は他のセンサでもよい。オーディオ回路160は、ユーザと移動電話との間のオーディオインタフェースを提供してもよい。I/Oサブシステム170は、入力及び出力を制御するための外部デバイスである。外部デバイスは、他のデバイス入力コントローラと、センサコントローラと、ディスプレイコントローラとを含んでもよい。プロセッサ180は、移動電話300の制御センタであり、様々なインタフェース及び回線を使用することにより全体の移動電話の各部分を接続し、移動電話上での全体のモニタリングを実行するために、メモリ120に記憶されたソフトウェアプログラム及び/又はソフトウェアモジュールを動作又は実行してメモリ120に記憶されたデータを呼び出すことにより、移動電話300の様々な機能を実行してデータを処理する。電源190(例えば、バッテリ)は、電力を各構成要素に供給するように構成される。好ましくは、電源は、電源管理システムを使用することにより、充電管理、放電管理及び電力消費管理のような機能を実現するために、電源管理システムを使用することによりプロセッサ180に接続されてもよい。
【０１００】
図４に示すアーキテクチャでは、従来技術における基地局100は、リソースの送信方向を構成するために、長時間に収集されたサービス要件のような要因に基づいて、図１に示す7つの構成モードのうち1つを選択し、高レイヤシグナリングを使用することにより、静的或いは半静的な構成方式で、送信方向構成を端末200及び基地局300に通知してもよい。図１に示す構成モードの数量は比較的少なく、送信方向が構成できるリソース単位は、サブフレームの形式のみに限定される。この場合、リソースのアップリンク又はダウンリンク送信方向の構成は、動的に変化するサービス要件に適応するほど柔軟ではない。この出願の実施形態において提供される解決策によれば、異なるリソース粒度に基づく分割を通じて取得されたリソースエレメントの送信方向が構成できる。例えば、送信方向が構成できるリソースエレメントは、1つのOFDMシンボルよりも小さいリソース単位、OFDMシンボル、スロット、ミニスロット、サブフレーム、ミニサブフレーム、無線フレーム、スーパーフレーム等でもよい。対応して、より多くの構成モードが存在する。このように、リソースの送信方向は、動的に変化するサービス要件に適応するように、より柔軟に構成されてもよい。
【０１０１】
以下に、図７を参照して、第1のデバイスが図４に示すアーキテクチャにおける基地局100であり、第2のデバイスが図４に示すアーキテクチャにおける端末200である例を使用することにより、この出願の実施形態において提供される送信方向構成方法について説明する。当該方法は以下のステップを含んでもよい。
【０１０２】
101.基地局100は、第1の指示情報を端末200に送信し、第1の指示情報は、アップリンク及び/又はダウンリンク送信方向の構成を示すために使用され、構成は、1つの周期に含まれるリソースエレメントのタイプ、数及び分布を記述するために使用され、リソースエレメントは、リソース粒度に基づく分割を通じて取得されたリソースであり、リソース粒度は、時間領域粒度を含み、時間領域粒度は、1つのOFDMシンボルよりも小さいリソース単位、OFDMシンボル、ミニスロット、スロット、ミニサブフレーム、サブフレーム、無線フレーム又はスーパーフレームを含み、リソースエレメントのタイプは、アップリンクリソースエレメント、ダウンリンクリソースエレメント、及びダウンリンクリソースエレメントとアップリンクリソースエレメントとの間の切り替えリソースエレメントを含み、アップリンクリソースエレメントの送信方向はアップリンク方向であり、ダウンリンクリソースエレメントの送信方向はダウンリンク方向である。
【０１０３】
アップリンクリソースエレメントの送信方向がアップリンク方向であることは、端末から基地局への対応するアップリンク方向での情報送信が、アップリンクリソースエレメント上で実行されてもよいことを意味する。ダウンリンクリソースエレメントの送信方向がダウンリンク方向であることは、基地局から端末への対応するダウンリンク方向での情報送信がダウンリンクリソースエレメント上で実行されてもよいことを意味する。切り替えリソースエレメントは、ダウンリンクリソースエレメントとアップリンクリソースエレメントとの間に位置し、ダウンリンクリソースエレメントとアップリンクリソースエレメントとの間の切り替えに使用され、すなわち、切り替えリソースエレメントは、現在のシステムにおける普遍的なガード区間又はギャップである。ここでの分布は、1つの周期内の異なるリソースエレメントの配置を意味する。
【０１０４】
ここで、リソースエレメントは、リソース粒度に基づく分割を通じて取得されたリソース単位でもよく、リソース粒度は、時間領域粒度を含んでもよい。時間領域粒度は、時間領域におけるリソース分割単位でもよい。例えば、時間領域粒度は、1つのOFDMシンボルよりも小さいリソース単位、OFDMシンボル、スロット、ミニスロット、サブフレーム、ミニサブフレーム、無線フレーム、スーパーフレーム等を含んでもよい。また、時間領域において、対応して、分割を通じて取得されたリソース単位は、1つのOFDMシンボルよりも小さいリソース単位、OFDMシンボル、スロット、ミニスロット、サブフレーム、ミニサブフレーム、無線フレーム、スーパーフレーム等として示される。1つの周期内のリソースエレメントがサブフレームのみを含む従来技術と比較して、この出願のこの実施形態では、1つの周期内のリソースエレメントは、時間領域粒度に基づく分割を通じて取得された1つのOFDMシンボルよりも小さいリソース単位、OFDMシンボル、スロット、ミニスロット、サブフレーム、ミニサブフレーム、無線フレーム、スーパーフレーム等でもよい。
【０１０５】
このように、リソース単位の分割は、従来技術のようなサブフレームの形式に限定されなくてもよく、より小さい或いは大きいリソースエレメントが分割を通じて取得されてもよく、それにより、リソース分割はより柔軟になる。アップリンク及び/又はダウンリンク送信方向が様々な形式になり且つサイズが異なるリソースエレメントに基づいて構成されるとき、リソースの送信方向はより柔軟に構成されてもよい。
【０１０６】
さらに、1つの周期が10個のサブフレームを含む従来技術の構成モードと比較して、この出願のこの実施形態では、1つの周期に含まれるリソースエレメントの数は限定されず、より多くのタイプのリソースエレメントが含まれてもよい。異なるタイプ及び異なる数量のリソースエレメントは、より多くの分布方式に対応してもよい。言い換えると、より多くの構成モードが存在する。このように、リソースエレメントのアップリンク又はダウンリンク送信方向はより柔軟に構成される。
【０１０７】
この出願のこの実施形態では、第1の指示情報により示される、1つの周期内のアップリンク及び/又はダウンリンク送信方向の異なる構成は、異なる構成モードと呼ばれてもよい。
【０１０８】
例えば、構成された周期内のリソースエレメントの形式がスロットであり、各周期が10個のスロットを含む5msであると仮定すると、可能な構成モードは、以下の表１に示され得る。表１において、Uはアップリンクスロットを表し、Dはダウンリンクスロットを表し、Sはスペシャルスロットを表し、スペシャルスロットは、ダウンリンク送信方向とアップリンク送信方向との間の切り替えに使用される。
【表１】
2020515147.tif 000003
【０１０９】
他の例では、構成された周期内のリソースエレメントの形式がスロット及びサブフレームを含み、各周期が2つのサブフレームと6つのスロットとを含む5msであると仮定すると、可能な構成モードは、以下の表２に示され得る。表２において、Uはアップリンクサブフレームを表し、Dはダウンリンクサブフレームを表し、uはアップリンクスロットを表し、dはダウンリンクスロットを表し、Sはスペシャルサブフレームを表し、sはスペシャルスロットを表し、スペシャルサブフレーム及びスペシャルスロットは、ダウンリンク送信方向とアップリンク送信方向との間の切り替えに使用される。
【表２】
2020515147.tif 000004
【０１１０】
この出願のこの実施形態では、周期のサイズは、実際の状況に依存して構成されてもよく、例えば、2ms、5ms、10ms等でもよい点に留意する必要がある。基地局100は、高レイヤシグナリング、媒体アクセス制御MACレイヤシグナリング又は物理レイヤシグナリングのいずれか1つを使用することにより、構成された周期を端末200に通知してもよい。さらに、周期に含まれるリソースエレメントは、1つのOFDMシンボルよりも小さいリソース単位、OFDMシンボル、ミニスロット、スロット、ミニサブフレーム、サブフレーム、無線フレーム及びスーパーフレームのような形式の1つ以上になってもよく、リソースエレメントの具体的な数量及び分布方式は、実際の要件に基づいて組み合わされてもよく、表１又は表２に示す状況に限定されず、ここでは列挙しない。
【０１１１】
102.端末200は、基地局100により送信された第1の指示情報を受信する。
【０１１２】
基地局100により送信された第1の指示情報を受信した後に、端末200は、第1の指示情報に基づいて、リソースエレメントについて構成されたアップリンク又はダウンリンク送信方向を習得してもよい。
【０１１３】
103.基地局100は、第1の指示情報により示されるアップリンク及び/又はダウンリンク送信方向の構成に基づいて情報送信を実行する。
【０１１４】
第1の指示情報を送信した後に、基地局100は、第1の指示情報により示されるリソースエレメントのアップリンク及び/又はダウンリンク送信方向に基づいて、セル1内の端末200と情報送信を実行してもよい。
【０１１５】
104.端末200は、第1の指示情報により示されるアップリンク及び/又はダウンリンク送信方向の構成に基づいて情報送信を実行する。
【０１１６】
基地局100により送信された第1の指示情報を受信した後に、端末200は、第1の指示情報により示されるリソースエレメントのアップリンク及び/又はダウンリンク送信方向に基づいて、基地局100と情報送信を実行してもよい。
【０１１７】
さらに、ステップ102における第2のデバイスが基地局300であるとき、ステップ104において、基地局100により送信された第1の指示情報を受信した後に、基地局300は、第1の指示情報により示されるリソースエレメントの送信方向に基づいて構成動作を実行してもよく、例えば、セル1との干渉を低減するために、セル2の構成モードを更新又は再構成してもよく、或いは、スケジューリング制限を実行してもよい。
【０１１８】
この出願のこの実施形態において提供される構成方法では、基地局100は、異なるリソース粒度に基づいてリソースを様々な形式のリソースエレメントに分割してもよく、それにより、アップリンク及び/又はダウンリンク送信方向は、リソースエレメントの異なる形式、異なる数量及び異なる分布方式に基づいて構成されてもよいことが習得できる。このように、動的に変化するサービス要件により良く適応するために、構成方式はより柔軟になる。
【０１１９】
さらに、この出願のこの実施形態では、基地局100は、上記の周期の具体的な数値を予め構成してもよい。ステップ101の前に、構成方法は、基地局100により、高レイヤシグナリング、MACレイヤシグナリング又は物理レイヤシグナリングのうち少なくとも1つを使用することにより、周期を端末200に送信することを更に含んでもよい。
【０１２０】
基地局100により、高レイヤシグナリングを使用することにより、周期を端末200に送信することは、基地局100により、システム情報を使用することにより、周期を端末200に送信することを具体的に含んでもよい。
【０１２１】
この出願のこの実施形態では、基地局100は、リソースエレメントの具体的な周期値及び送信方向を構成してもよいので、基地局100は、基地局100と端末200との間のリンクの性能を制御してもよく、それにより、リンク性能が制御可能になる。
【０１２２】
さらに、この出願のこの実施形態では、時間領域粒度がサブフレームであるとき、アップリンクリソースエレメントは、第1のアップリンクサブフレーム及び第2のアップリンクサブフレームのうち少なくとも1つを含み、ダウンリンクリソースエレメントは、第1のダウンリンクサブフレーム及び第2のダウンリンクサブフレームのうち少なくとも1つを含む。第1のアップリンクサブフレームは通常のアップリンクサブフレームであり、第1のダウンリンクサブフレームは通常のダウンリンクサブフレームであり、第2のアップリンクサブフレームは、ダウンリンク制御チャネル、アップリンクデータチャネル及びアップリンク制御チャネル上の送信を含み、第2のダウンリンクサブフレームは、ダウンリンク制御チャネル、ダウンリンクデータチャネル及びアップリンク制御チャネル上の送信を含む。
【０１２３】
第1のアップリンクサブフレームは通常のアップリンクサブフレームであり、第1のダウンリンクサブフレームは通常のダウンリンクサブフレームであり、第2のアップリンクサブフレームは、ダウンリンク制御チャネル、アップリンクデータチャネル及びアップリンク制御チャネル上の送信を含み、第2のダウンリンクサブフレームは、ダウンリンク制御チャネル、ダウンリンクデータチャネル及びアップリンク制御チャネル上の送信を含む。第1のアップリンクサブフレーム及び第1のダウンリンクサブフレームは、現在の常識での通常のサブフレームである。詳細については、「発明を実施するための形態」の最初のサブフレームについての説明を参照する。第2のアップリンクサブフレーム及び第2のダウンリンクサブフレームは、それぞれ、新型アップリンクサブフレーム及び新型ダウンリンクサブフレームでもよく、それぞれ、自己完結型アップリンクサブフレーム及び自己完結型ダウンリンクサブフレームと呼ばれてもよい。詳細については、図２ａ及び図２ｂについての関係する説明を参照する。第2のアップリンクサブフレーム及び第2のダウンリンクサブフレームはまた、それぞれ、混合アップリンクサブフレーム及び混合ダウンリンクサブフレームと呼ばれてもよい。さらに、時間領域粒度がサブフレームであるとき、周期内のサブフレームは、新型スペシャルサブフレームを更に含んでもよい。詳細については、図２ａ及び図２ｂの垂直線でそれぞれ埋められた部分を参照する。新型スペシャルサブフレームは、ダウンリンク送信方向とアップリンク送信方向との間の切り替えに使用されてもよい。言い換えると、新型スペシャルサブフレームは、新型ダウンリンクサブフレームと新型アップリンクサブフレームとの間の切り替えに使用される。第2のアップリンクサブフレーム及び第2のダウンリンクサブフレームは、ガード区間とも呼ばれるアップリンク/ダウンリンク切り替え区間を含んでもよい。
【０１２４】
時間領域粒度がスロットであるとき、アップリンクリソースエレメントは、第1のアップリンクスロット及び第2のアップリンクスロットのうち少なくとも1つを含み、ダウンリンクリソースエレメントは、第1のダウンリンクスロット及び第2のダウンリンクスロットのうち少なくとも1つを含む。第1のアップリンクスロットは通常のアップリンクスロットであり、第1のダウンリンクスロットは通常のダウンリンクスロットであり、第2のアップリンクスロットは、ダウンリンク制御チャネル、アップリンクデータチャネル及びアップリンク制御チャネル上の送信を含み、第2のダウンリンクスロットは、ダウンリンク制御チャネル、ダウンリンクデータチャネル及びアップリンク制御チャネル上の送信を含む。
【０１２５】
第1のアップリンクスロットは通常のアップリンクスロットであり、第1のダウンリンクスロットは通常のダウンリンクスロットであり、第2のアップリンクスロットは、ダウンリンク制御チャネル、アップリンクデータチャネル及びアップリンク制御チャネル上の送信を含み、第2のダウンリンクスロットは、ダウンリンク制御チャネル、ダウンリンクデータチャネル及びアップリンク制御チャネル上の送信を含む。第1のアップリンクスロット及び第1のダウンリンクスロットは、現在の常識での通常のスロットである。詳細については、「発明を実施するための形態」の最初のスロットについての説明を参照する。第2のアップリンクスロット及び第2のダウンリンクスロットは、それぞれ、新型アップリンクスロット及び新型ダウンリンクスロットでもよく、それぞれ、自己完結型アップリンクスロット及び自己完結型ダウンリンクスロットと呼ばれてもよい。詳細については、図２ａ及び図２ｂについての関係する説明を参照する。第2のアップリンクスロット及び第2のダウンリンクスロットはまた、それぞれ、混合アップリンクスロット及び混合ダウンリンクスロットと呼ばれてもよい。さらに、時間領域粒度がスロットであるとき、周期内のスロットは、新型スペシャルスロットを更に含んでもよい。詳細については、図２ａ及び図２ｂの垂直線でそれぞれ埋められた部分を参照する。新型スペシャルスロットは、ダウンリンク送信方向とアップリンク送信方向との間の切り替えに使用されてもよい。言い換えると、新型スペシャルスロットは、新型ダウンリンクスロットと新型アップリンクスロットとの間の切り替えに使用される。第2のアップリンクスロット及び第2のダウンリンクスロットは、ガード区間とも呼ばれるアップリンク/ダウンリンク切り替え区間を含んでもよい。
【０１２６】
このように、1つの周期内のサブフレームが通常のダウンリンクサブフレームと、通常のアップリンクサブフレームと、スペシャルサブフレームとを含む従来技術の構成モードと比較して、この出願のこの実施形態における構成モードでは、1つの周期内のリソースエレメントは、複数の形式になってもよい。周期内のリソースエレメントがサブフレーム又はスロットであるとき、ここでのサブフレーム又はスロットは、通常のダウンリンクサブフレーム又はスロット、通常のアップリンクサブフレーム又はスロット及びスペシャルサブフレーム又はスロットに加えて、自己完結型アップリンクサブフレーム又はスロット及び自己完結型ダウンリンクサブフレーム又はスロットを更に含んでもよい。さらに、これらのサブフレーム又はスロットは、異なる構成において異なる分布状況又は異なる構造に対応してもよく、それにより、この出願のこの実施形態では、リソースの送信方向をより柔軟に構成するために、より多くの構成モードが取得できる。
【０１２７】
例えば、構成された周期内のリソースエレメントの形式がサブフレームであり、各周期が10msを含み、合計で10個のサブフレームになると仮定すると、可能な構成モードは、以下の表３に示され得る。表３において、Uは通常のアップリンクサブフレームを表し、Dは通常のダウンリンクサブフレームを表し、NUは新型アップリンクサブフレームを表し、NDは新型ダウンリンクサブフレームを表し、Sは新型スペシャルサブフレームを表し、新型スペシャルサブフレームは、ダウンリンク送信方向とアップリンク送信方向との間の切り替えに使用される。
【表３】
2020515147.tif 000005
【０１２８】
例えば、構成された周期内のリソースエレメントの形式がスロットであり、各周期が5msを含み、合計で10個のスロットになると仮定すると、可能な構成モードは、以下の表４に示され得る。表４において、nuは新型アップリンクスロットを表し、ndは新型ダウンリンクスロットを表し、nsは新型スペシャルスロットを表し、新型スペシャルスロットは、ダウンリンク送信方向とアップリンク送信方向との間の切り替えに使用される。
【表４】
2020515147.tif 000006
【０１２９】
他の例では、構成された周期内のリソースエレメントの形式がスロット及びサブフレームを含み、各周期が2つのサブフレームと6つのスロットとを含む5msであると仮定すると、可能な構成モードは、以下の表５に示され得る。表５において、Uは通常のアップリンクサブフレームを表し、Dは通常のダウンリンクサブフレームを表し、uは通常のアップリンクスロットを表し、dは通常のダウンリンクスロットを表し、Sはスペシャルサブフレームを表し、sはスペシャルスロットを表し、スペシャルサブフレーム及びスペシャルスロットは、ダウンリンク送信方向とアップリンク送信方向との間の切り替えに使用され、NUは新型アップリンクサブフレームを表し、NDは新型ダウンリンクサブフレームを表し、NSは新型スペシャルサブフレームを表し、nuは新型アップリンクスロットを表し、ndは新型ダウンリンクスロットを表し、nsは新型スペシャルスロットを表し、新型スペシャルサブフレーム及び新型スペシャルスロットは、新型ダウンリンク送信方向と新型アップリンク送信方向との間の切り替えに使用される。
【表５】
2020515147.tif 000007
【０１３０】
さらに、周波数分割複信(Frequency  Division  duplex,  FDD)システムでは、アップリンク又はダウンリンクキャリアの全体の周波数帯域内或いはアップリンク又はダウンリンクキャリアのいくつかのサブバンド内の時間領域リソースのアップリンク又はダウンリンク送信方向は、サービス要件に基づいて変化する可能性があり、それにより、アップリンクキャリア又はダウンリンクキャリアは、アップリンク又はダウンリンクキャリアとして保たれるように維持されるだけではない。したがって、この出願のこの実施形態では、リソース粒度は、時間領域粒度に加えて、周波数領域粒度を更に含んでもよい。言い換えると、リソースエレメントは、より柔軟且つ細かく、2次元、すなわち、時間領域粒度及び周波数領域粒度に分割されてもよく、それにより、アップリンク又はダウンリンク送信方向は、リソースエレメントに基づいて、より柔軟に構成される。
【０１３１】
周波数領域粒度は、周波数領域におけるリソース分割単位でもよく、例えば、物理リソースブロックPRB、制御チャネルエレメントCCE、サブバンド、周波数帯域等を含んでもよい。周波数領域粒度に基づく分割を通じて取得されたリソースもまた、周波数領域におけるPRB、CCE、サブバンド又は周波数帯域として示される。ここでの周波数帯域は、キャリア周波数帯域でもよい。例えば、時間領域粒度がスロットであり、周波数領域粒度がPRBである場合、分割を通じて取得されたリソースエレメントは、図３に示すリソース単位でもよい。
【０１３２】
任意選択の実現方式では、ステップ101において、構成が、1つの周期に含まれるリソースエレメントのタイプ、数及び分布を記述するために使用されることは、構成が、現在の周期又は現在の周期の後の第kの周期に含まれるリソースエレメントのタイプ、数及び分布を記述するために使用され、kは正の整数であることを含む。言い換えると、基地局100は、現在の周期又は次の周期に対応する構成モードを構成してもよい。
【０１３３】
例えば、可能な状況では、図８ａに示すように、第Nの周期内の第3ダウンリンクサブフレームに位置する第1の指示情報は、第(N+1)番目の周期に対応する構成モードを示すために使用されてもよい。他の可能な状況では、図８ｂに示すように、第Nの周期の第1ダウンリンクサブフレームに位置する第1の指示情報は、現在の第Nの周期に対応する構成モードを示すために使用されてもよい。第1の指示情報が現在の周期に対応する構成モードを示すために使用されるか、次の周期に対応する構成モードを示すために使用されるか、以降の第xの周期に対応する構成モードを示すために使用されるかは、現在の周期内の第1の指示情報の位置に関係してもよく、或いは、高レイヤシグナリングを使用することにより事前に通知されてもよく、これは、ここでは具体的に限定されない点に留意する必要がある。Dはダウンリンクサブフレームを表す。
【０１３４】
この出願のこの実施形態では、新たに構成されたアップリンク又はダウンリンク送信方向に基づいて現在の周期又は次の周期内の情報送信を実行するために、基地局100は、関係するサービスが変化したときに、現在の周期、次の周期又は以降の第xの周期に対応するリソースエレメントのアップリンク及び/又はダウンリンク送信方向をリアルタイムで端末200に示すために、現在又は次の周期に対応する構成モードを構成してもよく、それにより、動的に変化するサービス要件にタイムリーに応答する。従来技術では、基地局100は、長時間に収集されたサービス要件のような要因に基づいて構成モードを選択する。一般的に、選択された構成モードは、長時間に安定しており、短時間内には変化せず、リアルタイムでは全く変更できない。したがって、ネットワークにおけるサービス要件が比較的大きく変動するとき、従来技術における構成方式は、動的に変化するサービス要件を満たすことができない。
【０１３５】
さらに、リソースエレメントが新型サブフレーム又は新型スロットを含むとき、新型サブフレーム又は新型スロットはデータ情報及び制御情報を含むので、セルの間の干渉の問題は、更なる考慮に値する。例えば、基地局100により現在処理されているサブフレームが通常のダウンリンクサブフレームであり、基地局300により現在処理されているサブフレームが新型アップリンクサブフレームであるとき、異なるリンク方向の間のリンク干渉又はクロスリンク干渉(Cross  link  interference,  CLI)がデータ情報部に存在するか否かが考慮される必要があり、制御情報部内の干渉もまた考慮される必要がある。例えば、基地局300のアップリンク制御情報部は、基地局100のダウンリンクデータ送信により干渉を受ける。したがって、基地局300によるアップリンク及び/又はダウンリンク送信方向の動的な割り当ての拡張が考慮される必要がある。この出願のこの実施形態において提供される構成方法によれば、セルの間の相互干渉を低減するために、アップリンク及び/又はダウンリンク送信方向はリアルタイムで柔軟に構成されてもよい。しかし、従来技術における構成方法によれば、異なるリンク方向の間の干渉は解決できない。
【０１３６】
この出願のこの実施形態では、第1の指示情報は、1つの周期内のリソースエレメントのアップリンク及び/又はダウンリンク送信方向を直接示してもよい点に留意する必要がある。例えば、第1の指示情報は、リソースエレメントの送信方向を示すための表１の内容でもよい。代替として、第1の指示情報は、識別情報を含んでもよく、識別情報は、アップリンク及び/又はダウンリンク送信方向の構成を示すために使用される。第1の指示情報が識別情報を含むとき、初期構成情報が予め設定されてもよい。初期構成情報は、アップリンク及び/又はダウンリンク送信方向の構成と識別情報との間の対応関係を含んでもよい。初期構成情報はまた、アップリンク及び/又はダウンリンク送信方向の構成の対応情報とも呼ばれてもよい。
【０１３７】
第1の指示情報の具体的な表現形式は、この出願のこの実施形態では限定されない。任意選択の実現方式では、識別情報はインデックスでもよい。この出願のこの実施形態では、構成モードがアップリンク及び/又はダウンリンク送信方向の構成の表現形式として使用される例を使用することにより、説明が行われる。
【０１３８】
ステップ101において、図９を参照すると、基地局100により、第1の指示情報を端末200に送信することは、以下のステップを具体的に含んでもよい。
【０１３９】
1010.基地局100は、高レイヤシグナリング、媒体アクセス制御MACレイヤシグナリング又は物理レイヤシグナリングのうち少なくとも1つを使用することにより、第1の指示情報を端末200に送信する。
【０１４０】
言い換えると、第1の指示情報が、リソースエレメントのアップリンク及び/又はダウンリンク送信方向を直接示す情報であるか、識別情報を含む情報であるかにかかわらず、第1の指示情報は、高レイヤシグナリング、MACレイヤシグナリング又は物理レイヤシグナリングのうち少なくとも1つを使用することにより、端末200に送信されてもよい。
【０１４１】
具体的には、図１０を参照すると、第1の指示情報が識別情報を含むとき、ステップ101の前に、当該方法は以下のステップを更に含んでもよい。
【０１４２】
105.基地局100は、初期構成情報を端末200に送信するか、或いは、運用、管理及び保守OAMセンタを使用することにより、初期構成情報を事前に構成し、初期構成情報は、識別情報とアップリンク及び/又はダウンリンク送信方向の構成との間の対応関係を含む。
【０１４３】
第1の指示情報を送信する前に、基地局100は、第1の指示情報とアップリンク及び/又はダウンリンク送信方向の構成、すなわち、構成モードとの間の対応関係を含む初期構成情報を端末200に事前に通知してもよく、或いは、OAMを通じて初期構成情報を予め設定してもよい。このように、第1の指示情報が送信された後に、端末200は、事前に取得された、第1の指示情報と構成モードとの間の対応関係に基づいて、基地局100の現在の構成の構成モードを習得してもよい。
【０１４４】
さらに、第1の指示情報と比較して、初期構成情報の量は比較的大きく、初期構成情報は、第1の指示情報の意味を説明するための、実際の要件に基づくいくつかの他の情報を更に含んでもよく、それにより、端末200は、第1の指示情報に基づいて、基地局100により示される構成モードを明確に習得してもよい。初期構成情報は、半静的な構成方式で端末200に送信されてもよい。この出願のこの実施形態では、半静的な構成は、高レイヤシグナリングを使用することにより通知されてもよい。例えば、高レイヤシグナリングは、無線リソース制御(Radio  Resource  Control,  RRC)シグナリングでもよく、或いは、高レイヤシグナリングは、ブロードキャスト情報を使用することにより送信される。具体的には、基地局100は、基地局の間のインタフェースを使用することにより、初期構成情報を基地局300に通知してもよく、或いは、エアインタフェースシグナリングを使用することにより、初期構成を端末200に通知してもよい。
【０１４５】
より明確な説明のために、例を使用することにより以下に説明を行う。
【０１４６】
従来技術における構成された周期は10msであると仮定する。LTE設計によれば、デフォルト構成モードはサブフレームDSUUU  DSUUUである。デフォルト構成を通して、端末は、システム情報に基づいて、現在の構成モードが、図１に示す構成モード#0であり、Dは通常のダウンリンクサブフレームであり、Sはスペシャルサブフレームであり、Uは通常のアップリンクサブフレームであると考える。
【０１４７】
この出願のこの実施形態では、アップリンク及び/又はダウンリンク送信方向のより柔軟な構成をサポートするために、処理方式は、それぞれの5ms内の最初の3つのサブフレームを固定サブフレームとして処理し、最後の2つのサブフレームをフレキシブルサブフレームとして処理することでもよい。言い換えると、サブフレームはDSUFF  DSUFFである。例えば、この場合、4つのビットが、フレキシブルサブフレームのタイプを示すために使用されてもよい。詳細については、以下の表６を参照する。表６において、Uは通常のアップリンクサブフレームを表し、Dは通常のダウンリンクサブフレームを表し、Sはスペシャルサブフレームを表し、NUは新型アップリンクサブフレームを表し、NDは新型ダウンリンクサブフレームを表す。
【表６】
2020515147.tif 000008
【０１４８】
表６の各行において、4つの指示ビットは、1つの構成モードに対応してもよい。当該例では、第1の指示情報は、例えば、表６に示す4つのビットでもよい識別情報を含んでもよく、初期構成情報は、表６の内容を含んでもよい。基地局100が、第1の指示情報として4つの指示ビットを端末200に送信したとき、端末200は、4つの指示ビット及び表６の内容に基づいて、構成モードを決定してもよい。
【０１４９】
表６では、フレキシブルサブフレームは、更に、自己完結型アップリンクサブフレームNU又は自己完結型ダウンリンクサブフレームNDでもよい点に留意する必要がある。端末200は、チャネルを測定し、フレキシブルサブフレーム内でチャネル品質インジケータ(Channel  Quality  Indicator,  CQI)又はチャネル状態インジケータ(Channel  State  Indicator,  CSI)をフィードバックしてもよく、それにより、基地局100は、フィードバックされたCQI又はCSIに基づいてスケジューリングを実行する。さらに、フレキシブルサブフレームを検出する前に、端末200は、フレキシブルサブフレームの送信方向を事前に習得しており、それにより、端末200は、アップリンクサブフレームに設定されたフレキシブルサブフレーム内でPDCCH検出を停止してもよく、それにより、端末200の電力消費を低減する。
【０１５０】
さらに、この出願のこの実施形態において提供される構成方法は、端末200によりハイブリッド自動再送要求(Hybrid  Automatic  Repeat  Request,  HARQ)をフィードバックする遅延を低減するのに更に役立つ。従来技術において図１に示す構成モード4#が使用されるとき、端末200が、図１１ａに示す第Nの周期内のサブフレーム4#において、基地局100により送信されたデータを受信した場合、端末200は、第(N+1)の周期内のアップリンクサブフレーム2#においてのみHARQフィードバックを送信できる。この出願のこの実施形態において提供される構成方法では、端末200は、図１１ｂに示す第Nの周期又は第Nの周期の前の周期内で、第1の指示情報に基づいて、第Nの周期に対応する構成モードを事前に習得してもよい。したがって、アップリンクサブフレームAが第Nの周期内のアップリンクサブフレーム4#の後に更に存在するとき、端末200は、従来技術のように第(N+1)の周期内のアップリンクサブフレーム2#においてHARQフィードバックを送信する代わりに、アップリンクサブフレームAにおいてHARQフィードバックを送信してもよく、それにより、HARQフィードバック遅延を低減する。
【０１５１】
さらに、図１２を参照して、基地局100は、第1のパラメータで構成されてもよい。第1のパラメータが第1の予め設定された値であるとき、ステップ101は以下のステップを具体的に含んでもよい。
【０１５２】
1011.基地局100は、高レイヤシグナリングを使用することにより、第1の指示情報を端末200に送信する。
【０１５３】
このように、基地局100は、高レイヤシグナリングを使用することにより、半静的な構成方式で第1の指示情報を端末200に送信する。
【０１５４】
第1のパラメータが第2の予め設定された値であるとき、ステップ101は以下のステップを具体的に含んでもよい。
【０１５５】
1012.基地局100は、MACレイヤシグナリング又は物理レイヤシグナリングのうち少なくとも1つを使用することにより、第1の指示情報を端末200に送信する。
【０１５６】
このように、基地局100は、高レイヤシグナリング、MACレイヤシグナリング又は物理レイヤシグナリングのうち少なくとも1つを使用することにより、第1のパラメータを第2のデバイスに送信してもよい。このように、基地局100は、高レイヤシグナリングを使用することにより、半静的な構成方式で第1のパラメータを端末200に送信してもよく、或いはMACレイヤシグナリング又は物理レイヤシグナリングを使用することにより、動的な構成方式で第1のパラメータを端末200に送信してもよい。基地局100により、高レイヤシグナリングを使用することにより、第1のパラメータを端末200に送信することは、基地局100により、システム情報を使用することにより、第1のパラメータを端末200に送信することを含んでもよい。このように、基地局100は、システム情報を使用することにより、第1のパラメータを端末200に通知してもよい。
【０１５７】
一例では、第1のパラメータは周期でもよい。言い換えると、周期が第2の予め設定された値に設定されるとき、動的な構成方式が活性化されてもよく、端末200は、送信方向の構成を習得するために、MACレイヤシグナリング又は物理レイヤシグナリングを検出する必要がある。一方、周期が第1の予め設定された値に設定されるとき、動的な構成方式が非活性化されてもよく、端末200は、送信方向の構成を習得するために、高レイヤシグナリングを検出する必要がある。例えば、1つのビットが第1のパラメータを表すために使用され、第1の予め設定された値は0であり、第2の予め設定された値は1である。第1のパラメータが0であるとき、基地局100は、高レイヤシグナリングを使用することにより、第1の指示情報を端末200に送信する。第1のパラメータが1であるとき、基地局100は、MACレイヤシグナリング又は物理レイヤシグナリングのうち少なくとも1つを使用することにより、第1の指示情報を端末200に送信する。例えば、2つのビットが第1のパラメータを表すために使用される場合、第1の予め設定された値は、01、10及び11のいずれか1つでもよく、01、10及び11は、それぞれ異なる周期値に対応してもよい。例えば、01は5msを表し、10は10msを表し、11は20msを表す。第2の予め設定された値は00である。第1のパラメータが10であるとき、基地局100は、10msの周期で、高レイヤシグナリングを使用することにより、第1の指示情報を端末200に送信する。第1のパラメータが00であるとき、基地局100は、MACレイヤシグナリング又は物理レイヤシグナリングのうち少なくとも1つを使用することにより、第1の指示情報を端末200に送信する。動的な構成方式が使用されるとき、対応する周期値は、1ms、2ms、3ms等でもよい。半静的な構成方式が使用されるとき、対応する周期値は、5ms、10ms、20ms、50ms、100ms等でもよい。周期は、高レイヤシグナリング、MACレイヤシグナリング又は物理レイヤシグナリングのうち少なくとも1つを使用することにより構成されてもよい。構成が高レイヤシグナリングを使用することにより実行されるとき、周期は、システム情報を使用することにより通知されてもよい。
【０１５８】
ステップ1011及びステップ1012によれば、リソースエレメントのアップリンク及び/又はダウンリンク送信方向を構成するために、基地局100は、半静的な構成方式を使用することにより第1の指示情報を送信するか、動的な構成方式を使用することにより第1の指示情報を送信するかを決定するために、第1のパラメータを第1の予め設定された値又は第2の予め設定された値に設定してもよいことが習得できる。さらに、第1の予め設定された値と第2の予め設定された値との間の切り替えを通じて、半静的な構成方式と動的な構成方式との間の柔軟な切り替えが実現でき、或いは、動的な構成方式が活性化/非活性化できる。このように、リソースエレメントのアップリンク又はダウンリンク送信方向はより柔軟に構成される。
【０１５９】
従来技術では、基地局は、高レイヤシグナリングを使用することにより、アップリンク及び/又はダウンリンク送信方向の指示情報を送信する。高レイヤシグナリングの使用と比較して、この出願のこの実施形態では、物理レイヤシグナリング又はMACレイヤシグナリングが、サービス特性を予測する必要なしに、処理遅延を低減するために使用されてもよく、それにより、基地局100は、サービス特性に適応するために、リソースエレメントのアップリンク又はダウンリンク送信方向を効率的に調整できる。
【０１６０】
このように、セル内のサービスが比較的大きく変動するとき、基地局100は、動的なサービスにリアルタイムで応答するために、動的な構成方式を活性化してもよい。セル内のサービスが比較的わずかに変動するとき、端末200により制御チャネルを検出するコストを低減してデバイスの電力消費を低減するために、基地局100は、半静的な構成方式でアップリンク及び/又はダウンリンク送信方向を構成し、動的な構成方式を非活性化してもよい。
【０１６１】
さらに、この出願のこの実施形態では、基地局100は、高レイヤシグナリングを使用することにより、事前に半静的な構成方式で大量の初期構成情報を端末200に通知するか、或いはOAMを通じて初期構成情報を予め構成し、物理レイヤシグナリング又はMACレイヤシグナリングを使用することにより、動的な構成方式で比較的少量の簡単な第1の指示情報を端末200に送信する。このように、リンクにかかる負荷が低減でき、アップリンク及び/又はダウンリンク送信方向の構成の遅延が低減でき、基地局100の構成効率が改善でき、アップリンク及び/又はダウンリンク送信方向の動的な割り当てが拡張でき、セルの間の相互干渉が低減できる。
【０１６２】
他の可能な実現方式では、第1の指示情報は、第2のパラメータを搬送してもよい。第2のパラメータは、持続時間を示すために使用されてもよく、持続時間はM個の周期を含んでもよく、Mは正の整数である。構成が、1つの周期に含まれるリソースエレメントのタイプ、数及び分布を記述するために使用されることは、構成が、第2のパラメータにより示される持続時間に含まれるM個の周期のそれぞれに含まれるリソースエレメントのタイプ、数及び分布を記述するために使用されてもよいことを含んでもよい。
【０１６３】
第2のパラメータ及び周期は、互いに同じでもよく或いは異なってもよく、第2のパラメータにより示される持続時間は、少なくとも1つの周期を含んでもよい。例えば、周期が5msであり、第2のパラメータが20msを表すとき、第2のパラメータにより表される20msは4つの周期を含み、第1の指示情報は、4つの周期のそれぞれに含まれるリソースエレメントのタイプ、数及び分布を示すために使用されてもよい。言い換えると、4つの周期内のアップリンク及び/又はダウンリンク送信方向の構成は同じである。
【０１６４】
他の可能な実現方式では、第1の指示情報は、第3のパラメータを搬送してもよく、第3のパラメータは、時点を示すために使用されてもよい。構成が、1つの周期に含まれるリソースエレメントのタイプ、数及び分布を記述するために使用されることは、構成が、第3のパラメータにより示される時点の後の時間領域における各周期に含まれるリソースエレメントのタイプ、数及び分布を記述するために使用されることを含む。
【０１６５】
第3のパラメータは、1つのOFDMシンボルよりも小さい開始リソース単位、OFDMシンボル、スロット、ミニスロット、サブフレーム、ミニサブフレーム、無線フレーム又はスーパーフレームのうち1つ以上の共同表現でもよい。
【０１６６】
例えば、周期が5msであり、第3のパラメータが時点1を表すとき、複数の周期が時点1の後に含まれてもよく、第1の指示情報は、時点1の後の各周期に含まれるリソースエレメントのタイプ、数及び分布を示すために使用されてもよい。言い換えると、時点1の後の各周期内のアップリンク及び/又はダウンリンク送信方向の構成は同じである。
【０１６７】
他の可能な実現方式では、第1の指示情報は、第2のパラメータ及び第3のパラメータを搬送してもよい。第2のパラメータは、持続時間を示すために使用され、第3のパラメータは、時点を示すために使用される。構成が、1つの周期に含まれるリソースエレメントのタイプ、数及び分布を記述するために使用されることは、構成が、第2のパラメータにより示される持続時間内の各周期に含まれるリソースエレメントのタイプ、数及び分布を記述するために使用されることを含む。
【０１６８】
例えば、周期が5msであり、第2のパラメータが20msを表し、第3のパラメータが時点1を表すとき、第2のパラメータにより示される20msは、4つの周期を含み、第1の指示情報は、時点1の後の4つの周期のそれぞれに含まれるリソースエレメントのタイプ、数及び分布を示すために使用されてもよい。言い換えると、時点1の後の20msの時間ウィンドウに含まれる4つの周期内のアップリンク及び/又はダウンリンク送信方向の構成は同じである。
【０１６９】
他の可能な実現方式では、基地局100は、第2のパラメータで更に構成され、第2のパラメータは、持続時間を示すために使用される。当該方法は以下のステップを更に含んでもよい。
【０１７０】
106.基地局100は、高レイヤシグナリング、MACレイヤシグナリング又は物理レイヤシグナリングのうち少なくとも1つを使用することにより、第2の指示情報を端末200に送信し、第2の指示情報は、第2のパラメータを搬送し、第2の指示情報は、第2のパラメータにより示される持続時間内の各周期内のアップリンク及び/又はダウンリンク送信方向の構成が、第1の指示情報により示される構成であることを示すために使用される。
【０１７１】
このように、基地局100は、第2のパラメータにより示される持続時間に含まれる各周期内のアップリンク及び/又はダウンリンク送信方向の構成が、第1の指示情報により示される構成であることを示すために、半静的な構成方式又は動的な構成方式で、第2の指示情報を端末200に送信してもよい。第2のパラメータを搬送する第2の指示情報を受信したとき、端末200は、第2のパラメータにより示される持続時間に含まれる各周期内のアップリンク及び/又はダウンリンク送信方向の構成が、第1の指示情報により示される構成であることを習得してもよい。第2のパラメータ及び周期は、互いに同じでもよく或いは異なってもよい。
【０１７２】
例えば、第2のパラメータが20msであり、周期が5msであるとき、第2の指示情報は、20msに含まれる4つの周期のそれぞれにおけるアップリンク及び/又はダウンリンク送信方向の構成が、第1の指示情報により示される構成であることを示すために使用される。
【０１７３】
他の可能な実現方式では、基地局100は、第1のパラメータ及び第2のパラメータで構成されてもよい。当該方法は以下の2つのステップのうち1つを更に含んでもよい。
【０１７４】
107.第1のパラメータが第1の予め設定された値であるとき、基地局100は、高レイヤシグナリングを使用することにより、第2の指示情報を端末200に送信し、第2の指示情報は、第2のパラメータを搬送し、第2の指示情報は、第2のパラメータにより示される持続時間内の各周期内のアップリンク及び/又はダウンリンク送信方向の構成が第1の指示情報により示される構成であることを示すために使用される。
【０１７５】
この場合、基地局100は、半静的な構成方式で第2の指示情報を送信してもよい。
【０１７６】
108.第1のパラメータが第2の予め設定された値であるとき、基地局100は、MACレイヤシグナリング又は物理レイヤシグナリングのうち少なくとも1つを使用することにより、第2の指示情報を端末200に送信し、第2の指示情報は、第2のパラメータを搬送し、第2の指示情報は、第2のパラメータにより示される持続時間内の各周期内のアップリンク及び/又はダウンリンク送信方向の構成が第1の指示情報により示される構成であることを示すために使用される。
【０１７７】
この場合、基地局100は、動的な構成方式で第2の指示情報を送信してもよい。
【０１７８】
可能な実現方式では、基地局100は、第3のパラメータで構成されてもよく、第3のパラメータは、時点を示すために使用される。当該方法は以下のステップを更に含んでもよい。
【０１７９】
109.基地局100は、高レイヤシグナリング、MACレイヤシグナリング又は物理レイヤシグナリングのうち少なくとも1つを使用することにより、第3の指示情報を端末200に送信し、第3の指示情報は、第3のパラメータを搬送し、第3の指示情報は、第3のパラメータにより示される時点の後の時間領域における各周期内のアップリンク及び/又はダウンリンク送信方向の構成が、第1の指示情報により示される構成であることを示すために使用される。
【０１８０】
可能な実現方式では、基地局100は、第2のパラメータ及び第3のパラメータで構成されてもよい。当該方法は以下のステップを更に含んでもよい。
【０１８１】
1100.基地局100は、高レイヤシグナリング、MACレイヤシグナリング又は物理レイヤシグナリングのうち少なくとも1つを使用することにより、第4の指示情報を第2のデバイスに送信し、第4の指示情報は、第2のパラメータ及び第3のパラメータを搬送し、第4の指示情報は、第2のパラメータにより示され且つ第3のパラメータにより示される時点から始まる持続時間内の各周期内のアップリンク及び/又はダウンリンク送信方向の構成が、第1の指示情報により示される構成であることを示すために使用される。
【０１８２】
このように、基地局100は、半静的な構成方式又は動的な構成方式で、第4の指示情報を端末200に送信してもよい。第3のパラメータは、高レイヤシグナリング、MACレイヤシグナリング又は物理レイヤシグナリングのいずれか1つを使用することにより、端末200に通知されてもよい。言い換えると、基地局100は、開始時点から始まるウィンドウ内でアップリンク及び/又はダウンリンク送信方向を構成してもよい。
【０１８３】
他の可能な実現方式では、第1の指示情報は、第1のパラメータを更に搬送してもよい。他の可能な実現方式では、基地局100は、第1のパラメータ及び第3のパラメータで構成されてもよく、第3の指示情報は、第3のパラメータを搬送する。他の可能な実現方式では、基地局100は、第1のパラメータ、第2のパラメータ及び第3のパラメータで構成され、第4の指示情報は、第2のパラメータ及び第3のパラメータを搬送する。他の可能な場合は、ここでは列挙しない。
【０１８４】
この出願のこの実施形態では、第1の指示情報、第2の指示情報、第3の指示情報及び第4の指示情報は、高レイヤシグナリング、MACレイヤシグナリング又は物理レイヤシグナリングのうちいずれか1つを使用することにより端末200に送信されてもよい点は留意することに値する。第1のパラメータ、第2のパラメータ及び第3のパラメータのうちいずれか1つは、第1の指示情報、第2の指示情報、第3の指示情報又は第4の指示情報で搬送されてもよく、或いは、他のシグナリングで搬送されてもよく、また、高レイヤシグナリング、MACレイヤシグナリング又は物理レイヤシグナリングのうちいずれか1つを使用することにより端末200に送信されてもよい。
【０１８５】
この出願のこの実施形態では、基地局100が物理レイヤシグナリングを使用することにより第1の指示情報を端末200に送信するための多くの方法が存在する。以下に、例として2つの方法を使用することにより説明を行う。
【０１８６】
方法1:基地局100は、保持された物理ハイブリッド自動再送要求インジケータチャネルPHICHリソースを使用することにより、第1の指示情報を端末200に送信する。
【０１８７】
当該方法では、基地局100は、いくつかのPHICHリソースを保持してもよく、保持されたPHICHリソースは、アップリンク及び/又はダウンリンク送信方向の構成中に第1の指示情報を送信するために使用され、保持されたPHICHリソースは、高レイヤシグナリングを使用することにより通知されてもよい。第1の指示情報内の指示ビットは、PHICHビットとして処理されてもよく、すなわち、二位相偏移変調(Binary  Phase  Shift  Keying,  BPSK)を通じて変調されて繰り返され、直交系列を使用することにより多重化されてスクランブル化されてもよい。直交系列と保持されたリソースとの間に、所定のマッチング関係が存在する。基地局100は、第1の指示情報内の各指示ビットについて1つより多くのPHICHリソースを構成してもよい。この場合、複数のPHICHリソースがグループ化されてもよく、(nPHICHgroup,nPHICHseq)が、使用されるPHICHがグループ内の第xのリソースであることを示すために、且つ、リソースに使用される系列を示すために使用される。ここで、グループ情報は、高レイヤシグナリングを使用することにより通知されてもよい。この場合、基地局100は、指示ビットの性能と制御シグナリングのオーバヘッドとをバランスさせる柔軟性を提供してもよい。当該方法では、基地局100は、第1の指示情報内のビットと通常のPHICHビットとの間の衝突を回避するために、例えば、物理アップリンク共有チャネル(Physical  Uplink  Shared  Channel,  PUSCH)リソース割り当てを制御するか、或いは、参照信号(Reference  Signal,  RS)のサイクリックシフトを復調することにより、対応する措置をとるべきである。
【０１８８】
方法2:基地局100は、物理ダウンリンク制御チャネルPDCCHリソース内の保持された制御チャネルエレメントCCEリソースを使用することにより、第1の指示情報を端末200に送信する。
【０１８９】
当該方法では、基地局100は、PDCCHリソース内のいくつかのCCEリソースを保持してもよく、保持されたCCEリソースは、アップリンク及び/又はダウンリンク送信方向の構成中に第1の指示情報を送信するために使用され、保持されたCCEリソースは、高レイヤシグナリングを使用することにより通知されてもよい。第1の指示情報内の指示ビットは、物理制御フォーマットインジケータチャネルPCFICHと同じ方式で符号化されて変調されてもよく、次いで、保持されたCCEリソース内のRE上にマッピングされる。保持されたCCEリソースを実際の物理リソースにマッピングする方式は、既存のPDCCH定義に準拠する。第1の指示情報内の指示ビットはまた、新たなショートダウンリンク制御情報DCIとして使用されてもよい。新たなDCIは、他の通常のDCIと同じ方式で処理される。追加のCRCは、基地局100により構成された新たな無線ネットワーク一時識別子(Radio  Network  Temporary  Identity,  RNTI)を使用することによりスクランブル化されてもよい。RNTIは、端末のセル無線ネットワーク一時識別子(Cell  Radio  Network  Temporary  Identifier,  C-RNTI)と同様のものでもよい。
【０１９０】
方法3:基地局100は、新たに追加されたPDCCHリソースを使用することにより、第1の指示情報を端末200に送信する。
【０１９１】
当該方法では、基地局100は、いくつかのCCEリソースを再分割してもよく、再分割されたCCEリソースは、アップリンク及び/又はダウンリンク送信方向の構成中に第1の指示情報を送信するために使用され、再分割されたCCEリソースは、高レイヤシグナリングを使用することにより通知されてもよい。第1の指示情報内の指示ビットは、物理制御フォーマットインジケータチャネルPCFICHと同じ方式で符号化されて変調されてもよく、次いで、保持されたCCEリソース内のRE上にマッピングされる。再分割されたCCEリソースを実際の物理リソースにマッピングする方式は、既存のPDCCH定義に準拠する。第1の指示情報内の指示ビットはまた、新たなダウンリンク制御情報DCIとして使用されてもよい。新たなDCIは、他の通常のDCIと同じ方式で処理される。追加のCRCは、基地局100により構成された新たな無線ネットワーク一時識別子を使用することによりスクランブル化されてもよい。RNTIは、UEのグループ及び/又は時間領域リソースのグループ及び/又は周波数領域リソースのグループをページングするために使用されてもよい。言い換えると、RNTIは、UEのグループ及び/又は時間領域リソースのグループ及び/又は周波数領域リソースのグループがスクランブル解除されるときに使用される必要がある。RNTIは、端末のセル無線ネットワーク一時識別子C-RNTIと同様のものでもよい。
【０１９２】
新たに追加されたPDCCHリソースは、第1のデバイスにより第2のデバイスに通知される必要があるか、或いは、OAMを通じて予め構成される必要がある。第1のデバイスは、高レイヤシグナリングを使用することにより、新たに追加されたPDCCHリソースを第2のデバイスに通知してもよい。新たなPDCCHは、グループPDCCH(group  PDCCH)、共通PDCCH(common  PDCCH)又はグループ共通PDCCH(group  common  PDCCH)のうち少なくとも1つでもよい。新たなPDCCHは、新たなDCIを導入するために、UEのグループ、時間領域リソースのグループ又は周波数領域リソースのグループについて定義された特定のPDCCHである。
【０１９３】
上記の方法では、基地局100は、端末200の側でのブラインド検出を増加させないように、保持されたリソース上で第1の指示情報を送信する。さらに、従来技術におけるPCFICH、PHICH又はDCI符号化機構が、第1の指示情報を送信する際に低い実現複雑性を達成するために再利用されてもよい。
【０１９４】
さらに、基地局100は、2つのリソースセット、すなわち、第1のリソースセット及び第2のリソースセットで構成されてもよい。第1のリソースセット内のリソースエレメントの送信方向は固定され、第2のリソースセット内のリソースエレメントの送信方向は可変である。明らかに、ここでのリソースセットはまた、リソースグループ、リソースシリーズ、リソースサブセット等とも呼ばれてもよい。
【０１９５】
この出願のこの実施形態では、リソースは、時間領域粒度及び周波数領域粒度に基づいて分割されてもよい。したがって、第1のリソースセット内の送信方向が固定されたリソースエレメントと、第2のリソースセット内の送信方向が可変であるリソースエレメントとの具体的な形式は、大きい粒度でもよく、或いは、小さい粒度でもよい。リソース分割方式は比較的柔軟であり、それにより、分割を通じて取得されたリソースエレメントのアップリンク又はダウンリンク送信方向はより柔軟に構成される。
【０１９６】
第1のリソースセット内のリソースエレメントの送信方向が固定されることは、第1のリソースセット内のリソースエレメントについて、構成モードで指定された送信方向が固定の方向であることを意味する。特に、固定の方向は、ダウンリンク方向でもよく、重要な制御情報、例えば、同期情報及びブロードキャスト情報のような基本的な共通制御情報を送信するために使用される。このように、第1のリソースセットは、分割を通じて取得され、それにより、重要な制御情報は、システム性能を改善するために、保持された第1のリソースセット内のリソースエレメントを使用することにより送信できる。例えば、端末200は、ネットワークに迅速にアクセスするために、保持された第1のリソースセット内の特定のリソースエレメント内でシグナリングを直接検出してもよい。任意選択で、第1のリソースセット内のリソースエレメントは、半静的或いは動的な構成方式で通知されてもよく、具体的には、基地局の間のインタフェースを使用することにより交換されてもよく、或いは、エアインタフェースシグナリングを使用することにより、端末に通知されてもよい。基地局の間のインタフェースを使用することにより交換されるか、或いは、エアインタフェースを使用することにより送信されるシグナリングは、高レイヤシグナリング、MACシグナリング又は物理レイヤシグナリングのうちいずれか1つでもよい。エアインタフェースシグナリングを使用することによりリソースエレメントを端末に通知することは、基地局により、エアインタフェースシグナリングを使用することにより、リソースエレメントを端末に通知することと、基地局により、基地局の間のインタフェースを使用することにより、リソースエレメントを第2のネットワークデバイスに通知し、第2のネットワークデバイスにより、エアインタフェースシグナリングを使用することにより、リソースエレメントを端末に通知することとを含む。さらに、固定の方向はアップリンク方向でもよく、スケジューリング要件、バッファ状態報告(buffer  status  report,  BSR)又はランダムアクセス要求(及びメッセージ3)のような重要なアップリンク情報を送信するために使用される。
【０１９７】
さらに、この出願のこの実施形態において提供される方法は以下のステップを更に含んでもよい。
【０１９８】
1101.基地局100は、第1の通知メッセージを端末200に送信し、第1の通知メッセージは、第2のリソースセット内のいくつか又は全てのリソースが第1のリソースセットに変換されることを通知するために使用される。
【０１９９】
1102.基地局100は、第2の通知メッセージを端末200に送信し、第2の通知メッセージは、第1のリソースセット内のいくつか又は全てのリソースが第2のリソースセットに変換されることを通知するために使用される。
【０２００】
基地局100により、第1の通知メッセージ及び/又は第2の通知メッセージを端末200に送信することは、基地局100により、高レイヤシグナリング、MACレイヤシグナリング又は物理レイヤシグナリングのうちいずれか1つを使用することにより、第1の通知メッセージ及び/又は第2の通知メッセージを端末200に送信することを含む。
【０２０１】
このように、基地局100は、高レイヤシグナリングを使用することにより半静的な構成方式で、或いは、MACレイヤシグナリング又は物理レイヤシグナリングを使用することにより動的な構成方式で、第1の通知メッセージ及び/又は第2の通知メッセージを端末200に通知してもよい。
【０２０２】
任意選択の実現方式では、第1のリソースセットに変換される第2のリソースセット内のリソースは、保持された時間領域リソース、周波数領域リソース又は符号リソースのうち少なくとも1つでもよい。このように、送信される必要がある重要な制御情報のデータ量が比較的大きいとき、第2のリソースセット内の保持されたリソースのいくつか又は全てが、重要な制御情報を送信するために第1のリソースセットにグループ化されてもよい。送信される必要がある重要な制御情報のデータ量が比較的小さいとき、第2のリソースセットから第1のリソースセットにグループ化されたリソースは、第2のリソースセットに再グループ化されてもよく、それにより、リソース構成はより柔軟になる。
【０２０３】
さらに、ステップ105において、基地局100により、初期構成情報を端末200に送信することは、基地局100により、第1のリソースセット内のリソースエレメントを使用することにより、初期構成情報を端末200に送信することを具体的に含んでもよい。
【０２０４】
初期構成情報の量は比較的大きく、初期構成情報は重要なシステム情報に属するので、初期構成情報は、第1リソースセット内のリソースエレメントを使用することにより送信されてもよい。
【０２０５】
ステップ101において、基地局100により、第1の指示情報を端末200に送信することは、
基地局100により、第1のリソースセット及び第2のリソースセットのうち少なくとも1つの中のリソースエレメントを使用することにより、第1の指示情報を端末200に送信することを含んでもよい。
【０２０６】
第1の指示情報は、第1のリソースセット内のリソースエレメントを使用することにより、或いは、第2のリソースセット内のリソースエレメントを使用することにより、或いは、第1のリソースセット内のリソースエレメント及び第2のリソースセット内のリソースエレメントを使用することにより、端末200に送信されてもよい。第1の指示情報が第1のリソースセット内のリソースエレメントを使用することにより送信されるとき、リソースエレメントの送信方向が固定されるので、性能が満たされることができるだけでなく、干渉も低減できる。
【０２０７】
さらに、この出願のこの実施形態において提供される構成方法は、端末に透過的であり、したがって、後方互換の方法でネットワークに導入できる点に留意する必要がある。
【０２０８】
この出願のこの実施形態では、特に別段の説明がない限り、半静的な構成は、通常では、高レイヤシグナリングを使用することにより通知され、例えば、RRCシグナリングを使用することにより通知され、特に別段の説明がない限り、動的な構成は、通常では、物理レイヤシグナリング又はMACレイヤシグナリングを使用することにより通知される。
【０２０９】
この出願のこの実施形態では、第1のデバイスが基地局100である例を使用することにより説明が行われている。第1のデバイスが基地局100であるとき、第2のデバイスは、端末200に限定されず、第2のデバイスは、代替として、他の基地局、例えば、基地局300でもよい。さらに、第1のデバイスは端末でもよく、この場合の第2のデバイスは他の端末でもよい。
【０２１０】
さらに、本開示のこの実施形態は、低周波数システムに限定されず、高周波数ミリ波システムにも適用されてもよい点に留意する必要がある。したがって、上記の関係する指示情報とリソース割り当て等との双方は、ビームフォーミング(beamforming)に基づいてもよく、或いは、ビーム識別子に対応してもよい。言い換えると、全ての関係する指示情報及びリソースセット又はサブセットはそれぞれ、ビーム識別子を更に搬送してもよい。ビーム識別子は、ビームインデックス、又はビームに対応する同期信号の識別子、又は参照信号の識別子でもよい。同期信号の識別子又は参照信号の識別子は、同期信号又は参照信号に関係する時間識別子、例えば、同期信号ブロック時間インデックスでもよい。
【０２１１】
本開示における分布はまた、構造とも呼ばれてもよい。第1のパラメータは、周期でもよく、或いは、周期とは異なる他のパラメータでもよい。第1のパラメータは、高レイヤシグナリング、MACレイヤシグナリング又は物理レイヤシグナリングのうち少なくとも1つを使用することにより構成されてもよい。第1のパラメータが高レイヤシグナリングを使用することにより構成されるとき、具体的には、第1のパラメータは、システム情報を使用することにより通知されてもよい。
【０２１２】
この出願の実施形態において提供される解決策は、主にネットワークエレメントの間の相互作用の観点から記載されている。上記の機能を実現するために、第1のデバイス及び第2のデバイスは、これらの機能を実行するための対応するハードウェア構造及び/又はソフトウェアモジュールを含むことが理解され得る。当業者は、この明細書に開示された実施形態に記載の例と組み合わせて、ユニット及びアルゴリズムのステップが、この出願の実施形態においてハードウェア又はハードウェアとコンピュータソフトウェアとの組み合わせにより実現されてもよいことを容易に理解すべきである。機能がハードウェアにより実行されるか、コンピュータソフトウェアにより駆動されるハードウェアにより実行されるかは、技術的解決策の特定の用途及び設計の制約に依存する。当業者は、特定の用途毎に記載の機能を実現するために異なる方法を使用し得るが、実現方式がこの出願の範囲を超えるものと考えられるべきではない。
【０２１３】
機能モジュール分割は、この出願の実施形態における上記の方法の例に従って、第1のデバイス及び第2のデバイスに対して実行されてもよい。例えば、様々な機能モジュールが様々な機能に基づいて分割されてもよく、或いは、2つ以上の機能が1つの処理モジュールに統合されてもよい。統合されたモジュールは、ハードウェアの形式で実現されてもよく、或いは、ソフトウェア機能モジュールの形式で実現されてもよい。この出願の実施形態におけるモジュール分割は一例であり、単に論理的な機能分割であり、実際の実現方式では他の分割方式が存在してもよい点に留意する必要がある。
【０２１４】
例えば、図１３は、様々な機能モジュールが様々な機能に基づいて分割されるときの第1のデバイス1300の概略構造図である。第1のデバイス1300は、送信ユニット1301と、処理ユニット1302とを含んでもよい。送信ユニット1301は、第1の指示情報を第2のデバイスに送信するように構成されてもよい。第1の指示情報は、アップリンク及び/又はダウンリンク送信方向の構成を示すために使用され、構成は、1つの周期に含まれるリソースエレメントのタイプ、数及び分布を記述するために使用され、リソースエレメントは、リソース粒度に基づく分割を通じて取得されたリソースであり、リソース粒度は、時間領域粒度を含み、時間領域粒度は、1つの直交周波数分割多重OFDMシンボルよりも小さいリソース単位、OFDMシンボル、ミニスロット、スロット、ミニサブフレーム、サブフレーム、無線フレーム又はスーパーフレームを含み、リソースエレメントのタイプは、アップリンクリソースエレメント、ダウンリンクリソースエレメント、及びダウンリンクリソースエレメントとアップリンクリソースエレメントとの間の切り替えリソースエレメントを含み、アップリンクリソースエレメントの送信方向はアップリンク方向であり、ダウンリンクリソースエレメントの送信方向はダウンリンク方向である。処理ユニット1302は、第1の指示情報により示されるアップリンク及び/又はダウンリンク送信方向の構成に基づいて情報送信を実行するように構成されてもよい。さらに、送信ユニット1301は、図９に示すステップ1010、図１０に示すステップ105、図１２に示すステップ1011及びステップ1012を実行するように、及び/又は、この明細書に記載の技術の他のプロセスをサポートするように更に構成されてもよい。上記の方法の実施形態におけるステップの全ての関係する内容は、対応する機能モジュールの機能の説明に対して参照されて適用されてもよく、詳細は、ここでは再び説明しない。
【０２１５】
図１４は、様々な機能モジュールが様々な機能に基づいて分割されるときの第2のデバイス1400の概略構造図である。第2のデバイス1400は、受信ユニット1401と、処理ユニット1402とを含んでもよい。受信ユニット1401は、第1のデバイスにより送信された第1の指示情報を受信するように構成されてもよい。第1の指示情報は、アップリンク及び/又はダウンリンク送信方向の構成を示すために使用され、構成は、1つの周期に含まれるリソースエレメントのタイプ、数及び分布を記述するために使用され、リソースエレメントは、リソース粒度に基づく分割を通じて取得されたリソースであり、リソース粒度は、時間領域粒度を含み、時間領域粒度は、1つの直交周波数分割多重OFDMシンボルよりも小さいリソース単位、OFDMシンボル、ミニスロット、スロット、ミニサブフレーム、サブフレーム、無線フレーム又はスーパーフレームを含み、リソースエレメントのタイプは、アップリンクリソースエレメント、ダウンリンクリソースエレメント、及びダウンリンクリソースエレメントとアップリンクリソースエレメントとの間の切り替えリソースエレメントを含み、アップリンクリソースエレメントの送信方向はアップリンク方向であり、ダウンリンクリソースエレメントの送信方向はダウンリンク方向である。処理ユニット1402は、第1の指示情報により示されるアップリンク及び/又はダウンリンク送信方向の構成に基づいて情報送信又は構成動作を実行するように構成されてもよい。上記の方法の実施形態におけるステップの全ての関係する内容は、対応する機能モジュールの機能の説明に対して参照されて適用されてもよく、詳細は、ここでは再び説明しない。
【０２１６】
この出願の実施形態において提供される第1のデバイス及び第2のデバイスは、送信方向構成方法を実行するように構成され、したがって、送信方向構成方法と同じ効果を達成できる。
【０２１７】
簡単な実施形態では、当業者は、第1のデバイス1300又は第2のデバイス1400のいずれかが、図１５に示す構造を使用することにより実現されてもよいと考え得る。
【０２１８】
図１５に示すように、装置1500は、少なくとも1つのプロセッサ1501と、通信バス1502と、メモリ1503と、少なくとも1つの通信インタフェース1504とを含んでもよい。
【０２１９】
プロセッサ1501は、汎用中央処理装置(Central  Processing  Unit,  CPU)、マイクロプロセッサ、特定用途向け集積回路(Application-Specific  Integrated  Circuit,  ASIC)又はこの出願の解決策においてプログラムの実行を制御するための1つ以上の集積回路でもよい。
【０２２０】
通信バス1502は、上記の構成要素の間の情報転送のための経路を含んでもよい。
【０２２１】
通信インタフェース1504は、イーサネット、無線アクセスネットワーク(Radio  Access  Network,  RAN)又は無線ローカルエリアネットワーク(Wireless  Local  Area  Network,  WLAN)のような他のデバイス又は通信ネットワークと通信するために、いずれかのトランシーバのような装置を使用する。
【０２２２】
メモリ1503は、読み取り専用メモリ(Read-Only  Memory,  ROM)、静的な情報及び命令を記憶できる他のタイプの静的記憶デバイス、ランダムアクセスメモリ(Random  Access  Memory,  RAM)、又は情報及び命令を記憶できる他のタイプの動的記憶デバイスでもよく、或いは、電気的消去可能プログラム可能読み取り専用メモリ(Electrically  Erasable  Programmable  Read-Only  Memory,  EEPROM)、コンパクトディスク読み取り専用メモリ(Compact  Disc  Read-Only  Memory,  CD-ROM)若しくは他の光ディスク(disk)記憶媒体、光ディスク(disc)記憶媒体(コンパクトディスク、レーザディスク、光ディスク、デジタル多用途ディスク、ブルーレイ光ディスク等を含む)、磁気ディスク記憶媒体若しくは他の磁気記憶デバイス、又は命令若しくはデータ構造の形式で想定されるプログラムコードを搬送若しくは記憶するために使用できるいずれかの他のコンピュータアクセス可能媒体でもよく、これらに限定されない。メモリは、独立して存在してもよく、バスを使用することによりプロセッサに接続される。代替として、メモリは、プロセッサと統合されてもよい。
【０２２３】
メモリ1503は、この出願における解決策のアプリケーションプログラムコードを記憶して実行するように構成され、プロセッサ1501は、アプリケーションプログラムコードの実行を制御する。プロセッサ1501は、メモリ1503に記憶されたアプリケーションプログラムコードを実行し、上記の実施形態における構成方法を実現するように構成される。
【０２２４】
具体的な実現方式の中で、実施形態では、プロセッサ1501は、1つ以上のCPU、例えば、図１５におけるCPU  0及びCPU  1を含んでもよい。
【０２２５】
具体的な実現方式の中で、実施形態では、装置1500は、複数のプロセッサ、例えば、図１５におけるプロセッサ1501及びプロセッサ1507を含んでもよい。プロセッサのそれぞれは、シングルコア(single-CPU)プロセッサでもよく、或いは、マルチコア(multi-CPU)プロセッサでもよい。ここでのプロセッサは、データ(例えば、コンピュータプログラム命令)を処理するための1つ以上のデバイス、回路及び/又は処理コアでもよい。
【０２２６】
具体的な実現方式の中で、実施形態では、装置1500は、出力デバイス1505と、入力デバイス1506とを更に含んでもよい。出力デバイス1505は、プロセッサ1501と通信し、複数の方式で情報を表示してもよい。例えば、出力デバイス1505は、液晶ディスプレイ(Liquid  Crystal  Display,  LCD)、発光ダイオード(Light  Emitting  Diode,  LED)ディスプレイデバイス、陰極線管(Cathode  Ray  Tube,  CRT)ディスプレイデバイス、プロジェクタ(projector)等でもよい。入力デバイス1506は、プロセッサ1501と通信し、複数の方式でユーザの入力を受け付けてもよい。例えば、入力デバイス1506は、マウス、キーボード、タッチスクリーンデバイス、センサデバイス等でもよい。
【０２２７】
この出願の他の実施形態は、第1のデバイスに使用されるコンピュータソフトウェア命令を記憶するように構成されてもよいコンピュータ読み取り可能記憶媒体を提供し、それにより、コンピュータソフトウェア命令がコンピュータ上で実行されるとき、コンピュータは、上記の構成方法を実行する。
【０２２８】
この出願の他の実施形態は、第2のデバイスに使用されるコンピュータソフトウェア命令を記憶するように構成されたコンピュータ読み取り可能記憶媒体を提供し、それにより、コンピュータソフトウェア命令がコンピュータ上で実行されるとき、コンピュータは、上記の構成方法を実行する。
【０２２９】
この出願の他の実施形態は、命令を含むコンピュータプログラムプロダクトを提供し、それにより、命令が第1のデバイス上で実行されるとき、第1のデバイスは、上記の構成方法を実行する。
【０２３０】
この出願の他の実施形態は、命令を含むコンピュータプログラムプロダクトを提供し、それにより、命令が第2のデバイス上で実行されるとき、第2のデバイスは、上記の構成方法を実行する。
【０２３１】
この出願の他の実施形態は、命令を含むコンピュータプログラムプロダクトを提供し、それにより、命令が第1のデバイス上で実行されるとき、コンピュータは、上記の構成方法を実行する。
【０２３２】
この出願の他の実施形態は、命令を含むコンピュータプログラムプロダクトを提供し、それにより、命令が第2のデバイス上で実行されるとき、第2のデバイスは、上記の構成方法を実行する。
【０２３３】
この出願の他の実施形態は、システムを提供する。システムは、上記の構成方法を実行するための第1のデバイス及び第2のデバイスを含んでもよい。例えば、システムの概略構造図については、図４を参照する。基地局100は第1のデバイスでもよく、端末200は第2のデバイスでもよく、或いは、基地局300は第2のデバイスでもよい。
【０２３４】
上記の実施形態の全て又はいくつかは、ソフトウェア、ハードウェア、ファームウェア、又はこれらのいずれかの組み合わせを使用することにより実現されてもよい。ソフトウェアプログラムが実施形態を実現するために使用されるとき、実施形態は、完全に或いは部分的に、コンピュータプログラムプロダクトの形式で実現されてもよい。コンピュータプログラムプロダクトは、1つ以上のコンピュータ命令を含む。コンピュータプログラム命令がコンピュータ上にロードされて実行されたとき、この出願の実施形態によるプロセス又は機能が、全て或いは部分的に生成される。コンピュータは、汎用コンピュータ、専用コンピュータ、コンピュータネットワーク又は他のプログラム可能装置でもよい。コンピュータ命令は、コンピュータ読み取り可能記憶媒体に記憶されてもよく、或いはコンピュータ読み取り可能記憶媒体から他のコンピュータ読み取り可能記憶媒体に送信されてもよい。例えば、コンピュータ命令は、有線(例えば、同軸ケーブル、光ファイバ又はデジタル加入者回線(Digital  Subscriber  Line,  DSL))又は無線(例えば、赤外線、無線、マイクロ波等)の方式で、ウェブサイト、コンピュータ、サーバ又はデータセンタから、他のウェブサイト、コンピュータ、サーバ又はデータセンタに送信されてもよい。コンピュータ読み取り可能記憶媒体は、コンピュータによりアクセス可能ないずれかの使用可能媒体、又は1つ以上の使用可能媒体を統合するサーバ若しくはデータセンタのようなデータ記憶デバイスでもよい。使用可能媒体は、磁気媒体(例えば、フロッピーディスク、ハードディスク又は磁気テープ)、光媒体(例えば、DVD)、半導体媒体(例えば、ソリッドステートディスク(Solid  State  Disk,  SSD))等でもよい。
【０２３５】
この出願は、実施形態を参照して記載されているが、保護を請求するこの出願を実現するプロセスにおいて、当業者は、添付の図面、開示された内容及び添付の特許請求の範囲を見ることにより、開示された実施形態の他の変形を理解して実現し得る。特許請求の範囲において、「含む」(comprising)は、他の構成要素又は他のステップを除外せず、「1つ」(a)又は「1つ」(one)は、複数の場合を除外しない。単一のプロセッサ又は他のユニットは、特許請求の範囲に列挙されるいくつかの機能を実現してもよい。いくつかの手段は、互いに異なる従属請求項に記録されるが、これは、これらの手段がより良い効果を生成するように組み合わされることができないことを意味するのではない。
【０２３６】
この出願は、具体的な特徴及びその実施形態を参照して記載されているが、明らかに、様々な変更及び組み合わせが、この出願の真意及び範囲から逸脱することなく、この出願に対して行われてもよい。対応して、この明細書及び添付の図面は、添付の特許請求の範囲により定義されたこの出願の単なる例示的な説明であり、この出願の範囲をカバーする変更、変形、組み合わせ又は均等物のいずれか又は全てと考えられる。明らかに、当業者は、この出願の真意及び範囲から逸脱することなく、この出願に様々な変更及び変形を行ってもよい。この出願は、以下の特許請求の範囲及びそれらの等価な技術により定義される保護の範囲内にあることを条件として、この出願のこれらの変更及び変形をカバーすることを意図する。
【図１】
2020515147.tif 000009
【図２ａ】
2020515147.tif 000010
【図２ｂ】
2020515147.tif 000011
【図３】
2020515147.tif 000012
【図４】
2020515147.tif 000013
【図５】
2020515147.tif 000014
【図６】
2020515147.tif 000015
【図７】
2020515147.tif 000016
【図８ａ】
2020515147.tif 000017
【図８ｂ】
2020515147.tif 000018
【図９】
2020515147.tif 000019
【図１０】
2020515147.tif 000020
【図１１ａ】
2020515147.tif 000021
【図１１ｂ】
2020515147.tif 000022
【図１２】
2020515147.tif 000023
【図１３】
2020515147.tif 000024
【図１４】
2020515147.tif 000025
【図１５】
2020515147.tif 000026
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
第1のデバイスにより実行される送信方向構成方法であって、
第1の指示情報を第2のデバイスに送信するステップであり、前記第1の指示情報は、アップリンク及び/又はダウンリンク送信方向の構成を示すために使用され、前記構成は、1つの周期に含まれるリソースエレメントのタイプ、数及び分布を記述するために使用され、前記リソースエレメントは、リソース粒度に基づく分割を通じて取得されたリソースであり、前記リソース粒度は、時間領域粒度を含み、前記時間領域粒度は、直交周波数分割多重(OFDM)シンボルを含み、前記リソースエレメントの前記タイプは、アップリンクリソースエレメント、ダウンリンクリソースエレメント、及び前記ダウンリンクリソースエレメントと前記アップリンクリソースエレメントとの間の切り替えリソースエレメントのうち少なくとも1つを含み、前記アップリンクリソースエレメントの送信方向はアップリンク方向であり、前記ダウンリンクリソースエレメントの送信方向はダウンリンク方向である、ステップと、
前記第1の指示情報により示される前記アップリンク及び/又はダウンリンク送信方向の前記構成に基づいて情報送信を実行するステップと
を含む方法。
【請求項２】
前記構成が、1つの周期に含まれるリソースエレメントのタイプ、数及び分布を記述するために使用されることは、
前記構成が、現在の周期又は現在の周期の後の第kの周期に含まれるリソースエレメントのタイプ、数及び分布を記述するために使用され、kは正の整数であることを含む、請求項１に記載の方法。
【請求項３】
当該方法は、
高レイヤシグナリングを使用することにより、前記周期の指示を前記第2のデバイスに送信するステップを更に含む、請求項１又は２に記載の方法。
【請求項４】
前記第1の指示情報は、識別情報を含み、前記識別情報は、前記アップリンク及び/又はダウンリンク送信方向の前記構成を示すために使用され、第1のデバイスにより、第1の指示情報を第2のデバイスに送信する前に、当該方法は、
初期構成情報を前記第2のデバイスに送信するステップであり、前記初期構成情報は、前記識別情報と前記アップリンク及び/又はダウンリンク送信方向の前記構成との間の対応関係を含む、ステップを更に含む、請求項１乃至３のうちいずれか１項に記載の方法。
【請求項５】
第1の指示情報を第2のデバイスに送信することは、
物理レイヤシグナリングを使用することにより、前記第1の指示情報を前記第2のデバイスに送信することを含む、請求項１乃至４のうちいずれか１項に記載の方法。
【請求項６】
物理レイヤシグナリングを使用することにより、前記第1の指示情報を前記第2のデバイスに送信することは、
グループ共通PDCCHを通じて前記第1の指示情報を送信することを含む、請求項５に記載の方法。
【請求項７】
前記構成が、1つの周期に含まれるリソースエレメントのタイプ、数及び分布を記述するために使用されることは、
前記構成が、第2のパラメータにより示される持続時間内の各周期に含まれるリソースエレメントのタイプ、数及び分布を記述するために使用されることを含む、請求項１乃至６のうちいずれか１項に記載の方法。
【請求項８】
前記構成が、1つの周期に含まれるリソースエレメントのタイプ、数及び分布を記述するために使用されることは、
前記構成が、第3のパラメータにより示される時点の後の時間領域における各周期に含まれるリソースエレメントのタイプ、数及び分布を記述するために使用されることを含む、請求項１乃至７のうちいずれか１項に記載の方法。
【請求項９】
前記構成が、1つの周期に含まれるリソースエレメントのタイプ、数及び分布を記述するために使用されることは、
前記構成が、第2のパラメータにより示され且つ第3のパラメータにより示される時点から始まる持続時間内の各周期に含まれるリソースエレメントのタイプ、数及び分布を記述するために使用されることを含む、請求項１乃至８のうちいずれか１項に記載の方法。
【請求項１０】
前記持続時間は、N個の周期を含み、Nは正の整数である、請求項７又は９に記載の方法。
【請求項１１】
前記ダウンリンクリソースエレメントと前記アップリンクリソースエレメントとの間の前記切り替えリソースエレメントは、ギャップである、請求項１乃至１０のうちいずれか１項に記載の方法。
【請求項１２】
第2のデバイスにより実行される送信方向構成方法であって、
第1のデバイスにより送信された第1の指示情報を受信するステップであり、前記第1の指示情報は、アップリンク及び/又はダウンリンク送信方向の構成を示すために使用され、前記構成は、1つの周期に含まれるリソースエレメントのタイプ、数及び分布を記述するために使用され、前記リソースエレメントは、リソース粒度に基づく分割を通じて取得されたリソースであり、前記リソース粒度は、時間領域粒度を含み、前記時間領域粒度は、直交周波数分割多重(OFDM)シンボルを含み、前記リソースエレメントの前記タイプは、アップリンクリソースエレメント、ダウンリンクリソースエレメント、及び前記ダウンリンクリソースエレメントと前記アップリンクリソースエレメントとの間の切り替えリソースエレメントのうち少なくとも1つを含み、前記アップリンクリソースエレメントの送信方向はアップリンク方向であり、前記ダウンリンクリソースエレメントの送信方向はダウンリンク方向である、ステップと、
前記第1の指示情報により示される前記アップリンク及び/又はダウンリンク送信方向の前記構成に基づいて情報送信又は構成動作を実行するステップと
を含む方法。
【請求項１３】
前記構成が、1つの周期に含まれるリソースエレメントのタイプ、数及び分布を記述するために使用されることは、
前記構成が、現在の周期又は現在の周期の後の第kの周期に含まれるリソースエレメントのタイプ、数及び分布を記述するために使用され、kは正の整数であることを含む、請求項１２に記載の方法。
【請求項１４】
当該方法は、
高レイヤシグナリングを通じて、前記第1のデバイスから前記周期の指示を受信するステップを更に含む、請求項１２又は１３に記載の方法。
【請求項１５】
前記第1の指示情報は、識別情報を含み、前記識別情報は、前記アップリンク及び/又はダウンリンク送信方向の前記構成を示すために使用され、前記第1のデバイスから第1の指示情報を受信する前に、当該方法は、
前記第1のデバイスから初期構成情報を受信するステップであり、前記初期構成情報は、前記識別情報と前記アップリンク及び/又はダウンリンク送信方向の前記構成との間の対応関係を含む、ステップを更に含む、請求項１２乃至１４のうちいずれか１項に記載の方法。
【請求項１６】
前記第1のデバイスから第1の指示情報を受信することは、
物理レイヤシグナリングを通じて前記第1のデバイスから前記第1の指示情報を受信することを含む、請求項１２乃至１５のうちいずれか１項に記載の方法。
【請求項１７】
物理レイヤシグナリングを通じて前記第1のデバイスから前記第1の指示情報を受信することは、
グループ共通PDCCHを通じて前記第1の指示情報を受信することを含む、請求項１６に記載の方法。
【請求項１８】
前記構成が、1つの周期に含まれるリソースエレメントのタイプ、数及び分布を記述するために使用されることは、
前記構成が、第2のパラメータにより示される持続時間内の各周期に含まれるリソースエレメントのタイプ、数及び分布を記述するために使用されることを含む、請求項１２乃至１７のうちいずれか１項に記載の方法。
【請求項１９】
前記構成が、1つの周期に含まれるリソースエレメントのタイプ、数及び分布を記述するために使用されることは、
前記構成が、第3のパラメータにより示される時点の後の時間領域における各周期に含まれるリソースエレメントのタイプ、数及び分布を記述するために使用されることを含む、請求項１２乃至１８のうちいずれか１項に記載の方法。
【請求項２０】
前記構成が、1つの周期に含まれるリソースエレメントのタイプ、数及び分布を記述するために使用されることは、
前記構成が、第2のパラメータにより示され且つ第3のパラメータにより示される時点から始まる持続時間内の各周期に含まれるリソースエレメントのタイプ、数及び分布を記述するために使用されることを含む、請求項１２乃至１９のうちいずれか１項に記載の方法。
【請求項２１】
前記持続時間は、N個の周期を含み、Nは正の整数である、請求項１８又は２０に記載の方法。
【請求項２２】
前記ダウンリンクリソースエレメントと前記アップリンクリソースエレメントとの間の前記切り替えリソースエレメントは、ギャップである、請求項１２乃至２１のうちいずれか１項に記載の方法。
【請求項２３】
当該方法は、
高レイヤシグナリング、媒体アクセス制御MACレイヤシグナリング又は物理レイヤシグナリングのうち少なくとも1つを通じて、前記第1のデバイスから第2の指示情報を受信するステップであり、前記第2の指示情報は、第2のパラメータを搬送し、前記第2のパラメータは、持続時間を示すために使用され、前記第2の指示情報は、前記第2のパラメータにより示される前記持続時間内の各周期内のアップリンク及び/又はダウンリンク送信方向の構成が、前記第1の指示情報により示される前記構成であることを示すために使用される、ステップ、又は
高レイヤシグナリング、媒体アクセス制御MACレイヤシグナリング又は物理レイヤシグナリングのうち少なくとも1つを通じて、前記第1のデバイスから第3の指示情報を受信するステップであり、前記第3の指示情報は、第3のパラメータを搬送し、前記第3のパラメータは、時点を示すために使用され、前記第3の指示情報は、前記第3のパラメータにより示される前記時点の後の時間領域における各周期内のアップリンク及び/又はダウンリンク送信方向の構成が、前記第1の指示情報により示される前記構成であることを示すために使用される、ステップ、又は
高レイヤシグナリング、媒体アクセス制御MACレイヤシグナリング又は物理レイヤシグナリングのうち少なくとも1つを通じて、前記第1のデバイスから第4の指示情報を受信するステップであり、前記第4の指示情報は、前記第2のパラメータ及び前記第3のパラメータを搬送し、前記第4の指示情報は、前記第2のパラメータにより示され且つ前記第3のパラメータにより示される前記時点から始まる前記持続時間内の各周期内のアップリンク及び/又はダウンリンク送信方向の構成が、前記第1の指示情報により示される前記構成であることを示すために使用される、ステップ
を更に含む、請求項１２乃至２２のうちいずれか１項に記載の方法。
【請求項２４】
少なくとも1つのプロセッサと、メモリとを含む第1のデバイスであって、
前記メモリは、実行命令を記憶し、前記少なくとも1つのプロセッサは、前記第1のデバイスが請求項１乃至１１のうちいずれか１項に記載の方法を実行することを可能にするように、前記実行命令を実行する、第1のデバイス。
【請求項２５】
少なくとも1つのプロセッサと、メモリとを含む第2のデバイスであって、
前記メモリは、実行命令を記憶し、前記少なくとも1つのプロセッサは、前記第2のデバイスが請求項１２乃至２３のうちいずれか１項に記載の方法を実行することを可能にするように、前記実行命令を実行する、第2のデバイス。
【請求項２６】
請求項２４に記載の第1のデバイスと、請求項２５に記載の第2のデバイスとを含むシステム。
【請求項２７】
コンピュータにより実行されたとき、前記コンピュータに請求項１乃至２３のうちいずれか１項に記載の方法を実行させる命令を含むコンピュータ読み取り可能記憶媒体。
【請求項２８】
プロセッサに請求項１乃至２３のうちいずれか１項に記載の方法を実行させるプログラム。
【国際調査報告】
2020515147.tif 000027
2020515147.tif 000028
2020515147.tif 000029
2020515147.tif 000030